(57)【要約】  ディスプレイ領域を組み立てる方法は、複数のタイルから第１のタイルを選択するステップを含み、複数のタイルの各タイルは、所定のパラメータと、複数の画素を画定する複数のマイクロＬＥＤとを有する。第１のタイルを選択するステップは、第１のタイルの所定のパラメータの値に基づいている。方法は、複数のタイルから第２のタイルを、第２のタイルの所定のパラメータの値に基づいて選択するステップを含む。方法は、第１のタイルおよび第２のタイルを、ディスプレイ領域の少なくとも一部を画定するアレイに位置決めするステップをさらに含む。第１のタイルの第１の縁部は第２のタイルの第２の縁部に面している。方法によって組み立てられたディスプレイ領域を有するディスプレイ装置も提供される。
2021502598.tif 000002
【特許請求の範囲】
【請求項１】
ディスプレイ領域を組み立てる方法であって、
複数のタイルから第１のタイルを選択するステップであって、前記複数のタイルの各タイルは、所定のパラメータと、複数の画素を画定する複数のマイクロＬＥＤとを有し、前記第１のタイルを選択するステップは、該第１のタイルの前記所定のパラメータの値に基づいている、ステップと、
前記複数のタイルから第２のタイルを、該第２のタイルの前記所定のパラメータの値に基づいて選択するステップと、
前記第１のタイルおよび前記第２のタイルを、前記ディスプレイ領域の少なくとも一部を画定するアレイに位置決めするステップであって、前記第１のタイルの第１の縁部は前記第２のタイルの第２の縁部に面している、ステップと
を含む、ディスプレイ領域を組み立てる方法。
【請求項２】
前記第１のタイルの前記所定のパラメータの値は、該所定のパラメータの公称値より大きく、前記第２のタイルの前記所定のパラメータの値は、該所定のパラメータの公称値より小さい、請求項１記載の方法。
【請求項３】
前記第１のタイルの前記所定のパラメータの値は、該所定のパラメータの公称値に対する前記複数のタイルの前記所定のパラメータの最大値を規定し、前記第２のタイルの前記所定のパラメータの値は、該所定のパラメータの公称値に対する前記複数のタイルの前記所定のパラメータの最小値を規定する、請求項１記載の方法。
【請求項４】
前記複数のタイルを、該複数のタイルの前記所定のパラメータのそれぞれの値に基づいて選別するステップをさらに含む、請求項１記載の方法。
【請求項５】
前記選別するステップは、タイルの第１のセットおよびタイルの第２のセットを特定するステップを含み、前記タイルの第１のセットの各タイルの前記所定のパラメータの前記それぞれの値は、前記所定のパラメータの公称値より大きく、前記タイルの第２のセットの各タイルの前記所定のパラメータの前記それぞれの値は、前記所定のパラメータの公称値より小さい、請求項４記載の方法。
【請求項６】
前記タイルの第１のセットを、該タイルの第１のセットの各タイルの前記所定のパラメータの前記それぞれの値に基づいて昇順または降順に順序付け、前記タイルの第２のセットを、該タイルの第２のセットの各タイルの前記所定のパラメータの前記それぞれの値に基づいて昇順または降順に順序付けるステップをさらに含む、請求項５記載の方法。
【請求項７】
請求項１から６までのいずれか１項記載の方法によって組み立てられたディスプレイ領域を有するディスプレイ装置であって、複数の画素のうちのすぐ隣接し合う画素の間の横方向距離が、画素ピッチを規定し、第１のタイルの第１の縁部から離隔させられた、前記第１のタイルの少なくとも１つの第１の外側画素と、第２のタイルの第２の縁部から離隔させられた、前記第２のタイルの少なくとも１つの第２の外側画素との間の横方向距離が、位置合わせピッチを規定し、該位置合わせピッチは、前記画素ピッチの約１．５倍以下である、ディスプレイ装置。
【請求項８】
前記位置合わせピッチは、前記画素ピッチの約１．１倍以下である、請求項７記載のディスプレイ装置。
【請求項９】
前記位置合わせピッチは、前記画素ピッチの約１．０１倍以下である、請求項７記載のディスプレイ装置。
【請求項１０】
前記画素ピッチは、約１００マイクロメートル〜約５００マイクロメートルである、請求項７から９までのいずれか１項記載のディスプレイ装置。
【発明の詳細な説明】
【関連出願】
【０００１】
本願は、２０１７年１１月８日に出願された米国特許仮出願第６２／５８３０２０号の優先権の利益を主張し、その内容に依拠し、その内容全体を参照により以下に記載されているものとして本明細書に援用する。
【技術分野】
【０００２】
本開示は、概して、ディスプレイ装置のディスプレイ領域を組み立てるための方法および装置、より具体的には、複数のタイルを、ディスプレイ領域の少なくとも一部を画定するアレイに位置決めするための方法および装置に関する。
【背景技術】
【０００３】
複数のタイルを、ディスプレイ装置のディスプレイ領域の少なくとも一部を画定するアレイに位置決めすることは公知である。
【発明の概要】
【０００４】
以下は、詳細な説明において説明される幾つかの実施形態の基本的理解を提供するために、本開示の簡略的な概要を示している。
【０００５】
幾つかの実施形態において、ディスプレイ領域を組み立てる方法は、複数のタイルから第１のタイルを選択するステップを含むことができる。複数のタイルの各タイルは、所定のパラメータと、複数の画素を画定する複数のマイクロＬＥＤとを有することができる。第１のタイルを選択するステップは、第１のタイルの所定のパラメータの値に基づくことができる。方法は、複数のタイルから第２のタイルを、第２のタイルの所定のパラメータの値に基づいて選択するステップを含むことができる。方法は、第１のタイルおよび第２のタイルを、ディスプレイ領域の少なくとも一部を画定するアレイに位置決めするステップを含むことができる。第１のタイルの第１の縁部は第２のタイルの第２の縁部に面することができる。
【０００６】
幾つかの実施形態において、第１のタイルの所定のパラメータの値は、所定のパラメータの公称値より大きいことができ、第２のタイルの所定のパラメータの値は、所定のパラメータの公称値より小さいことができる。
【０００７】
幾つかの実施形態において、第１のタイルの所定のパラメータの値は、所定のパラメータの公称値に対する複数のタイルの所定のパラメータの最大値を規定することができ、第２のタイルの所定のパラメータの値は、所定のパラメータの公称値に対する複数のタイルの所定のパラメータの最小値を規定することができる。
【０００８】
幾つかの実施形態において、方法は、複数のタイルを、複数のタイルの所定のパラメータのそれぞれの値に基づいて選別するステップをさらに含むことができる。
【０００９】
幾つかの実施形態において、選別するステップは、タイルの第１のセットおよびタイルの第２のセットを特定するステップを含むことができる。タイルの第１のセットの各タイルの所定のパラメータのそれぞれの値は、所定のパラメータの公称値より大きいことができ、タイルの第２のセットの各タイルの所定のパラメータのそれぞれの値は、所定のパラメータの公称値より小さいことができる。
【００１０】
幾つかの実施形態において、方法は、タイルの第１のセットを、タイルの第１のセットの各タイルの所定のパラメータのそれぞれの値に基づいて昇順または降順に順序付け、タイルの第２のセットを、タイルの第２のセットの各タイルの所定のパラメータのそれぞれの値に基づいて昇順または降順に順序付けるステップをさらに含むことができる。
【００１１】
幾つかの実施形態において、第１のタイルをタイルの第１のセットから選択することができかつ第２のタイルをタイルの第２のセットから選択することができる。
【００１２】
幾つかの実施形態において、第１のタイルの所定のパラメータの値は、所定のパラメータの公称値に対するタイルの第１のセットの所定のパラメータの最大値を規定することができ、第２のタイルの所定のパラメータの値は、所定のパラメータの公称値に対するタイルの第２のセットの所定のパラメータの最小値を規定することができる。
【００１３】
幾つかの実施形態において、方法は、複数のタイルから少なくとも１つの付加的なタイルを、少なくとも１つの付加的なタイルの所定のパラメータの値に基づいて選択しかつ少なくとも１つの付加的なタイルをアレイに位置決めするステップをさらに含むことができる。
【００１４】
幾つかの実施形態において、複数のタイルの各タイルの所定のパラメータは、複数のタイルの各タイルのそれぞれの横方向寸法、複数のタイルの各タイルのそれぞれの縁部真直度および複数のタイルの各タイルのそれぞれの直角度のうちの少なくとも１つを含むことができる。
【００１５】
幾つかの実施形態において、ディスプレイ装置は、方法によって組み立てられたディスプレイ領域を有することができ、複数の画素のうちのすぐ隣接し合う画素の間の横方向距離が、画素ピッチを規定することができる。第１のタイルの第１の縁部から離隔させられた、第１のタイルの少なくとも１つの第１の外側画素と、第２のタイルの第２の縁部から離隔させられた、第２のタイルの少なくとも１つの第２の外側画素との間の横方向距離が、位置合わせピッチを規定することができ、位置合わせピッチは、画素ピッチの約１．５倍以下であることができる。
【００１６】
幾つかの実施形態において、位置合わせピッチは、画素ピッチの約１．１倍以下であることができる。
【００１７】
幾つかの実施形態において、位置合わせピッチは、画素ピッチの約１．０１倍以下であることができる。
【００１８】
幾つかの実施形態において、画素ピッチは、約１００マイクロメートル〜約５００マイクロメートルであることができる。
【００１９】
幾つかの実施形態において、ディスプレイ領域を組み立てる方法は、複数のタイルからタイルの複数の対を選択するステップを含むことができる。複数のタイルの各タイルは、所定のパラメータと、複数の画素を画定する複数のマイクロＬＥＤとを有することができる。タイルの複数の対を選択するステップは、複数のタイルの各タイルの所定のパラメータのそれぞれの値に基づくことができる。タイルの各対は、第１のタイルおよび第２のタイルを含むことができ、タイルの各対のうちの第１のタイルの所定のパラメータのそれぞれの値は、タイルの各対のうちの第２のタイルの所定のパラメータのそれぞれの値より大きいことができる。方法は、タイルの複数の対を、ディスプレイ領域の少なくとも一部を画定するアレイに位置決めするステップをさらに含むことができる。タイルの各対のうちの第１のタイルのそれぞれの第１の縁部は、タイルの各対のうちの第２のタイルのそれぞれの第２の縁部に面することができる。
【００２０】
幾つかの実施形態において、タイルの各対のうちの第１のタイルの所定のパラメータのそれぞれの値は、所定のパラメータの公称値より大きいことができ、タイルの各対のうちの第２のタイルの所定のパラメータのそれぞれの値は、所定のパラメータの公称値より小さいことができる。
【００２１】
幾つかの実施形態において、方法は、複数のタイルからタイルの第１のセットを特定しかつ複数のタイルからタイルの第２のセットを特定するステップをさらに含むことができる。タイルの第１のセットのうちの各タイルの所定のパラメータのそれぞれの値は、所定のパラメータの公称値より大きいことができ、タイルの第２のセットのうちの各タイルの所定のパラメータのそれぞれの値は、所定のパラメータの公称値より小さいことができる。タイルの各対のうちの第１のタイルをタイルの第１のセットから選択することができ、タイルの各対のうちの第２のタイルをタイルの第２のセットから選択することができる。
【００２２】
幾つかの実施形態において、方法は、タイルの第１のセットを、タイルの第１のセットの各タイルの所定のパラメータのそれぞれの値に基づいて昇順または降順に順序付け、タイルの第２のセットを、タイルの第２のセットの各タイルの所定のパラメータのそれぞれの値に基づいて昇順または降順に順序付けるステップをさらに含むことができる。タイルの各対のうちの第１のタイルを、順序付けられたタイルの第１のセットから順に選択することができ、タイルの各対のうちの第２のタイルを、順序付けられたタイルの第２のセットから順に選択することができる。
【００２３】
幾つかの実施形態において、複数のタイルの各タイルの所定のパラメータは、複数のタイルの各タイルのそれぞれの横方向寸法、複数のタイルの各タイルのそれぞれの縁部真直度および複数のタイルの各タイルのそれぞれの直角度のうちの少なくとも１つを含むことができる。
【００２４】
幾つかの実施形態において、ディスプレイ装置は、方法によって組み立てられたディスプレイ領域を有することができ、複数の画素のうちのすぐ隣接し合う画素の間の横方向距離が、約１００マイクロメートル〜約５００マイクロメートルの画素ピッチを規定することができる。
【図面の簡単な説明】
【００２５】
これらの特徴、実施形態および利点ならびにその他の特徴、実施形態および利点は、以下の詳細な説明が添付の図面を参照しながら読まれた場合に、より深く理解される。
【図１】本開示の実施形態による複数のタイルを含むディスプレイ領域を有するディスプレイ装置の１つの典型的な実施形態の概略図を示している。
【図２】本開示の実施形態による、図１の範囲２によって示された、ディスプレイ領域の複数のタイルのうちの１つのタイルの拡大図を示している。
【図３】本開示の実施形態による、複数の画素を画定する複数のマイクロＬＥＤを有する、図２の範囲３によって示されたタイルの一部の拡大図を示している。
【図４】本開示の実施形態による、図３の４−４線に沿って見た、複数のマイクロＬＥＤのうちの少なくとも１つのマイクロＬＥＤを含む、複数の画素のうちの１つの画素の断面図を示している。
【図５】本開示の実施形態によるディスプレイ領域を組み立てる１つの典型的な方法を示している。
【図６】本開示の実施形態による、異なるタイル切断技術に関する、複数の５０マイクロメートルオフセットタイルを含むディスプレイ領域のシミュレーションされた組立てに基づく典型的なプロットを示しており、縦軸または「Ｙ」軸は不良率をパーセンテージ（％）において示しており、横軸または「Ｘ」軸は画素ピッチをマイクロメートル（μｍ）において示している。
【図７】本開示の実施形態による、異なるタイル切断技術に関する、複数の１００マイクロメートルオフセットタイルを含むディスプレイ領域のシミュレーションされた組立てに基づく典型的なプロットを示しており、縦軸または「Ｙ」軸は不良率をパーセンテージ（％）において示しており、横軸または「Ｘ」軸は画素ピッチをマイクロメートル（μｍ）において示している。
【図８】本開示の実施形態による、異なる位置合わせピッチおよび位置決め方式に関する、グローバル位置決め公差を有する、複数の５０マイクロメートルオフセットタイルを含むディスプレイ領域のシミュレーションされた組立てに基づく典型的なプロットを示しており、縦軸または「Ｙ」軸は不良率をパーセンテージ（％）において示しており、横軸または「Ｘ」軸はディスプレイ領域サイズをアレイにおけるタイルの数（ｎ×ｍ）において示している。
【図９】本開示の実施形態による、異なる位置合わせピッチおよび位置決め方式に関する、相対位置決め公差を有する、複数の５０マイクロメートルオフセットタイルを含むディスプレイ領域のシミュレーションされた組立てに基づく典型的なプロットを示しており、縦軸または「Ｙ」軸は不良率をパーセンテージ（％）において示しており、横軸または「Ｘ」軸はディスプレイ領域サイズをアレイにおけるタイルの数（ｎ×ｍ）において示している。
【図１０】本開示の実施形態による、異なる位置合わせピッチおよび位置決め方式に関する、グローバル位置決め公差を有する、複数の１００マイクロメートルオフセットタイルを含むディスプレイ領域のシミュレーションされた組立てに基づく典型的なプロットを示しており、縦軸または「Ｙ」軸は不良率をパーセンテージ（％）において示しており、横軸または「Ｘ」軸はディスプレイ領域サイズをアレイにおけるタイルの数（ｎ×ｍ）において示している。
【図１１】本開示の実施形態による、異なる位置合わせピッチおよび位置決め方式に関する、相対位置決め公差を有する、複数の１００マイクロメートルオフセットタイルを含むディスプレイ領域のシミュレーションされた組立てに基づく典型的なプロットを示しており、縦軸または「Ｙ」軸は不良率をパーセンテージ（％）において示しており、横軸または「Ｘ」軸はディスプレイ領域サイズをアレイにおけるタイルの数（ｎ×ｍ）において示している。
【発明を実施するための形態】
【００２６】
ここで、例としての実施形態が示された添付の図面を参照しながら、実施形態を以下でより詳細に説明する。可能な場合には常時、同じ参照符号は、複数の図面を通じて同じまたは類似の部分を指すために使用される。しかしながら、本開示は、多くの異なる態様において具体化されてもよく、本明細書に示された実施形態に限定されるものと解されるべきではない。
【００２７】
本明細書に開示された特定の実施形態は、例示的であり、したがって非限定的であることが意図されていると理解されるべきである。本開示のために、図１は、複数のタイル１０５を含む１つの典型的なディスプレイ装置１００の概略図を示している。幾つかの実施形態において、複数のタイル１０５を、ディスプレイ装置１００のディスプレイ領域１０１を画定するアレイ（例えば、ｎ×ｍアレイ）に位置決めすることができる。幾つかの実施形態において、ディスプレイ装置１００は、ユーザがディスプレイ装置１００のディスプレイ領域１０１を見るかつ／またはディスプレイ領域１０１と相互作用する（例えば、触れる、接触する）ことがあるモバイルデバイス、ウェアラブル（例えば、腕時計）、テレビ、自動車ディスプレイ、透明ディスプレイ、看板、コンピュータ、タブレットおよびその他のディスプレイモニタを含むがこれらに限定されない１つ以上の用途において使用することができる。加えて、幾つかの実施形態において、ディスプレイ装置１００を直視型ディスプレイ（例えば、マイクロＬＥＤディスプレイ）において使用することができる。さらに、幾つかの実施形態において、ディスプレイ装置１００をディスプレイ（例えば、ＬＣＤディスプレイ）に統合し、バックライトユニットとして使用することができる。
【００２８】
加えて、５×５（ｎ×ｍ）アレイを有する平坦な矩形のディスプレイ領域１０１として例示されているが、幾つかの実施形態において、ディスプレイ領域１０１は、本開示の範囲から逸脱することなく、平坦または非平坦なディスプレイ領域１０１を画定するあらゆる数のｎ×ｍアレイにおいて、円形、楕円形およびその他の幾何学的および多角形形状を含むがこれらに限定されない様々な形状、サイズおよび平面性を含むことができる。幾つかの実施形態において、ディスプレイ領域１０１は、本開示の実施形態による１つ以上のタイリング法によって達成される対称的または非対称的、および規則的または不規則的な形状を含むことができる。同様に、平坦な矩形のタイルとして示されているが、幾つかの実施形態において、複数のタイル１０５のうちの１つ以上のタイルは、本開示の範囲から逸脱することなく、平坦または非平坦なタイルを画定する対称的または非対称的なタイル、および規則的または不規則的な形状を含むあらゆるサイズ（すなわち、寸法）において、三角形ならびにその他の幾何学的および多角形形状を含むがこれらに限定されない様々な形状、サイズおよび平面性を含むことができる。
【００２９】
幾つかの実施形態において、ディスプレイ領域１０１を複数のタイル１０５によって組み立てることによって、複数のタイル１０５のうちの１つ以上のタイルに欠陥（例えば、電気配線の誤り、破損、誤動作）があることが分かった場合、欠陥のある１つ以上のタイルをｎ×ｍアレイから取り外し、修理および交換のうちの少なくとも一方を行うことができる。一方、ディスプレイ領域１０１が、複数の相対的により小さなタイルではなく、１つの相対的により大きなタイルとして提供されていると、１つの相対的により大きなタイルに欠陥があると分かった場合、ディスプレイ全体に欠陥があることになる。したがって、幾つかの実施形態において、ｎ×ｍアレイに組み立てられた複数のタイル１０５としてディスプレイ領域１０１を提供することによって、ディスプレイ装置１００のディスプレイ領域１０１を提供することに関連したコスト、時間および廃棄物を減じることができ、ディスプレイ領域１０１の組立てをより効率的に行うことができる。
【００３０】
図２は、図１の範囲２によって示された、複数のタイル１０５のうちの１つのタイル１０５ｉｊの拡大図を示しており、タイル１０５ｉｊは、ディスプレイ装置１００のディスプレイ領域１０１を画定する（ｎ×ｍ）アレイに位置決めされた複数のタイル１０５のうちの１つ以上の個々のタイルを表すことができる。破線の輪郭において示された公称タイル２００は、タイル１０５ｉｊの公称（例えば、所望の、意図された）輪郭を表すことができる。加えて、図２に示しかつ以下でより詳細に説明するように、幾つかの実施形態において、タイル１０５ｉｊの特徴は、切断技術の正確性、精度および公差を含む、タイル１０５ｉｊを切断するために使用される技術に少なくとも基づいて、公称タイル２００の特徴から逸脱していることがある。切断技術が、公称タイル２００の特徴を有する複数のタイル１０５の各タイルを確実に提供することができるならば、ｎ×ｍアレイへの複数のタイル１０５の位置決めは、公称特徴からの逸脱を考慮することなく達成することができる。しかしながら、切断技術の正確性、精度および公差を含む、タイル１０５ｉｊを切断するために使用される技術は少なくとも、幾つかの実施形態において、公称タイル２００の特徴から逸脱したタイル１０５ｉｊの特徴を提供するので、幾つかの実施形態において、複数のタイル１０５をｎ×ｍアレイに組み立てるとき、このような逸脱が考慮されることがある。
【００３１】
例えば、幾つかの実施形態において、タイル１０５ｉｊは、タイル１０５ｉｊのそれぞれの横方向寸法、タイル１０５ｉｊのそれぞれの縁部真直度およびタイル１０５ｉｊのそれぞれの直角度のうちの少なくとも１つを含む所定のパラメータを有することができる。幾つかの実施形態において、所定のパラメータは、タイル１０５ｉｊの特徴の直接測定、タイル１０５ｉｊの所定のパラメータの数値的分布および統計的に類似のタイルの所定のパラメータの数値的分布のうちの１つ以上に基づくことができる。加えて、幾つかの実施形態において、所定のパラメータは、公称値に対する所定の範囲に基づくことができ、例えば、公称値の６−シグマまたは３−シグマ以内の所定のパラメータを有する１つ以上のタイルを選択することができる。
【００３２】
幾つかの実施形態において、タイル１０５ｉｊの所定のパラメータの値は、タイル１０５ｉｊの第１の縁部２０１とタイル１０５ｉｊの反対側の第２の縁部２０２との間の第１の横方向寸法Ｄ１（例えば、平均横方向寸法）を含むことができる。同様に、幾つかの実施形態において、タイル１０５ｉｊの所定のパラメータの値は、タイル１０５ｉｊの第３の縁部２０３とタイル１０５ｉｊの反対側の第４の縁部２０４との間の第２の横方向寸法Ｄ２（例えば、平均横方向寸法）を含むことができる。幾つかの実施形態において、タイル１０５ｉｊの所定のパラメータの値は、第１の横方向寸法Ｄ１に対する第１の縁部２０１の最大位置２０１ａと、第１の横方向寸法Ｄ１に対する第１の縁部２０１の最小位置２０１ｂとの間に規定された、タイル１０５ｉｊの第１の縁部２０１の第１の真直度Ｄ５を含むことができる。幾つかの実施形態において、タイル１０５ｉｊの所定のパラメータの値は、第１の横方向寸法Ｄ１に対する第２の縁部２０２の最大位置２０２ａと、第１の横方向寸法Ｄ１に対する第２の縁部２０２の最小位置２０２ｂとの間に規定された、タイル１０５ｉｊの第２の縁部２０２の第２の真直度Ｄ６を含むことができる。幾つかの実施形態において、タイル１０５ｉｊの所定のパラメータの値は、第２の横方向寸法Ｄ２に対する第３の縁部２０３の最大位置２０３ａと、第２の横方向寸法Ｄ２に対する第３の縁部２０３の最小位置２０３ｂとの間に規定された、タイル１０５ｉｊの第３の縁部２０３の第３の真直度Ｄ７を含むことができる。同様に、幾つかの実施形態において、タイル１０５ｉｊの所定のパラメータの値は、第２の横方向寸法Ｄ２に対する第４の縁部２０４の最大位置２０４ａと、第２の横方向寸法Ｄ２に対する第４の縁部２０４の最小位置２０４ｂとの間に規定された、タイル１０５ｉｊの第４の縁部２０４の第４の真直度Ｄ８を含むことができる。
【００３３】
加えて、幾つかの実施形態において、タイル１０５ｉｊの所定のパラメータの値は、タイル１０５ｉｊの第１の対角線寸法Ｄ３と、タイル１０５ｉｊの第２の対角線寸法Ｄ４との差として規定される、タイル１０５ｉｊの直角度を含むことができる。幾つかの実施形態において、第１の対角線寸法Ｄ３は、第１の縁部２０１と第３の縁部２０３との交差箇所に配置されたタイル１０５ｉｊの第１の角２０５と、第２の縁部２０２と第４の縁部２０４との交差箇所に配置されたタイル１０５ｉｊの第２の角２０６との間の距離として規定することができる。同様に、幾つかの実施形態において、第２の対角線寸法Ｄ４は、第２の縁部２０２と第３の縁部２０３との交差箇所に配置されたタイル１０５ｉｊの第３の角２０７と、第１の縁部２０１と第４の縁部２０４との交差箇所に配置されたタイル１０５ｉｊの第４の角２０８との間の距離として規定することができる。幾つかの実施形態において、直角度パラメータは、タイル１０５ｉｊの１つ以上の角が、公称タイル２００の１つ以上のそれぞれの角にどのように対応するかの尺度として規定することができる。例えば、幾つかの実施形態において、公称タイル２００の１つ以上の角は、９０度の角度（例えば、矩形）を有することができ、直角度パラメータは、タイル１０５ｉｊの１つ以上の角のそれぞれの角度が、９０度の角度にどのように対応するかを比較することができる。加えて、幾つかの実施形態において、公称タイル２００の１つ以上の角は、９０度ではない角度を有することができ、直角度パラメータは、タイル１０５ｉｊの１つ以上の角のそれぞれの角度が、９０度ではない角度にどのように対応するかを比較することができる。
【００３４】
図３は、複数の画素３０５を画定する複数のマイクロメートルサイズの発光ダイオード（マイクロＬＥＤ）３００を有する、図２の範囲３によって示されたタイル１０５ｉｊの一部の拡大図を示している。明確にするために、ガラスまたはフィルム４０１（図４参照）および基板４０２（図４参照）は、図３に示されていない。幾つかの実施形態において、複数の画素３０５のうちのすぐ隣接し合う画素の間の横方向距離「ｐｘ」および／または「ｐｙ」は、画素ピッチを規定することができる。幾つかの実施形態において、ｐｘはｐｙと等しいことができ、幾つかの実施形態において、ｐｘはｐｙと異なることができる。幾つかの実施形態において、画素ピッチ（ｐｘ，ｐｙ）のうちの少なくとも一方は、約５０マイクロメートル〜約１０００マイクロメートルであることができ、それらの間の全ての範囲および部分範囲を含む。例えば、幾つかの実施形態において、画素ピッチ（ｐｘ，ｐｙ）のうちの少なくとも一方は、約１００マイクロメートル〜約２００マイクロメートル、約１００マイクロメートル〜約３００マイクロメートル、約１００マイクロメートル〜約４００マイクロメートル、約１００マイクロメートル〜約５００マイクロメートル、約５００マイクロメートル〜約６００マイクロメートル、約６００マイクロメートル〜約７００マイクロメートル、約７００マイクロメートル〜約８００マイクロメートル、約８００マイクロメートル〜約９００マイクロメートル、約９００マイクロメートル〜約１０００マイクロメートルであることができる。幾つかの実施形態において、画素ピッチ（ｐｘ，ｐｙ）のうちの少なくとも一方は、５０マイクロメートルより小さい、例えば、約０マイクロメートル〜約５０マイクロメートルであることができ、それらの間の全ての範囲および部分範囲を含む、または１０００マイクロメートルより大きい、例えば、約１ミリメートル〜約３ミリメートルであることができ、それらの間の全ての範囲および部分範囲を含む。
【００３５】
幾つかの実施形態において、公称タイル２００は、約１０ｍｍ〜約１００ｃｍの範囲で、それらの間の全ての範囲および部分範囲を含む第１の横方向寸法Ｄ１と、約１０ｍｍ〜約１００ｃｍの範囲で、それらの間の全ての範囲および部分範囲を含む第２の横方向寸法Ｄ２とを有することができる。幾つかの実施形態において、第１の横方向寸法Ｄ１および第２の横方向寸法Ｄ２は、ディスプレイ領域を有するディスプレイ装置が使用されることがある特定の用途に基づいて選択することができる。例えば、図２に戻ると、１つの典型的な実施形態において、公称タイル２００は、表１に示したように、約１００．４４ｍｍの第１の横方向寸法Ｄ１および約１７８．５６ｍｍの第２の横方向寸法Ｄ２を有することができる。加えて、公称タイルに関して、Ｄ３はＤ４と等しいことができ、したがって、直角度（Ｄ３−Ｄ４）はゼロと等しいことができる。同様に、公称タイル２００に関して、縁部真直度（Ｄ５，Ｄ６，Ｄ７，Ｄ８）はゼロと等しいことができる。
【００３６】
【表１】
2021502598.tif 000003
【００３７】
加えて、表２は、約１００．４４ｍｍの第１の横方向寸法Ｄ１および約１７８．５６ｍｍの第２の横方向寸法Ｄ２を有する公称タイル２００の場合の、５０マイクロメートル〜５００マイクロメートルの示された画素ピッチ（ｐｘはｐｙと等しい）における、各タイルごとの画素のそれぞれの数を示している。
【００３８】
【表２】
2021502598.tif 000004
【００３９】
さらに、図１に戻ると、約１００．４４ｍｍの第１の横方向寸法Ｄ１および約１７８．５６ｍｍの第２の横方向寸法Ｄ２を有する公称タイル２００について、表３は、それぞれのｎ×ｍアレイの場合の、ディスプレイ領域１０１の公称（ｎ）寸法、公称（ｍ）寸法および対応する対角線寸法を示している。
【００４０】
【表３】
2021502598.tif 000005
【００４１】
図４は、画素３０５ｘｙが、複数のマイクロＬＥＤ３００を含む複数の画素３０５のうちの１つ以上の個々の画素を表すことができる、図３の４−４線に沿って見た複数の画素３０５のうちの１つの画素３０５ｘｙの断面図を示している。幾つかの実施形態において、画素３０５ｘｙは、画素３０５ｘｙを画定する３つのマイクロＬＥＤ（例えば、第１のマイクロＬＥＤ４０５ａ、第２のマイクロＬＥＤ４０５ｂ、第３のマイクロＬＥＤ４０５ｃ）を有することができる。例えば、幾つかの実施形態において、マイクロＬＥＤのうちの１つ（例えば、第１のマイクロＬＥＤ４０５ａ）は、赤色マイクロＬＥＤを含むことができ、別のマイクロＬＥＤ（例えば、第２のマイクロＬＥＤ４０５ｂ）は緑色マイクロＬＥＤを含むことができ、別のマイクロＬＥＤ（例えば、第３のマイクロＬＥＤ４０５ｃ）は青色マイクロＬＥＤを含むことができる。加えて、幾つかの実施形態において、第１のマイクロＬＥＤ４０５ａは、第１のマイクロＬＥＤ４０５ａの作動を制御するための第１の電極４０３ａを含むことができ、第２のマイクロＬＥＤ４０５ｂは、第２のマイクロＬＥＤ４０５ｂの作動を制御するための第２の電極４０３ｂを含むことができ、第３のマイクロＬＥＤ４０５ｃは、第３のマイクロＬＥＤ４０５ｃの作動を制御するための第３の電極４０３ｃを含むことができる。幾つかの実施形態において、画素３０５ｘｙは、マイクロＬＥＤ４０５ａ，４０５ｂ，４０５ｃを電気的に制御しかつ作動させるための付加的なエレメントおよびコンポーネント（例えば、薄膜トランジスタ）を含むことができる。幾つかの実施形態において、各マイクロＬＥＤ４０５ａ，４０５ｂ，４０５ｃは、約１０マイクロメートル〜約２００マイクロメートルで、それらの間の全ての範囲および部分範囲を含む、発光領域を画定する寸法を有することができる。例えば、幾つかの実施形態において、各マイクロＬＥＤ４０５ａ，４０５ｂ，４０５ｃは、約１０マイクロメートル〜約２０マイクロメートル、約１０マイクロメートル〜約５０マイクロメートル、約５０マイクロメートル〜約１００マイクロメートル、約１００マイクロメートル〜約２００マイクロメートルの、発光領域を画定する寸法を有することができる。
【００４２】
さらに、幾つかの実施形態において、第１のマイクロＬＥＤ４０５ａ、第２のマイクロＬＥＤ４０５ｂ、第３のマイクロＬＥＤ４０５ｃ、それぞれの第１の電極４０３ａ、第２の電極４０３ｂおよび第３の電極４０３ｃを基板４０３に接続することができる。幾つかの実施形態において、基板４０２と反対側にガラスまたはフィルム４０１を設けることができ、マイクロＬＥＤ４０５ａ，４０５ｂ，４０５ｃおよび電極４０３ａ，４０３ｂ，４０３ｃはガラスまたはフィルム４０１と基板４０２との間に位置決めされる。幾つかの実施形態において、例えば、それぞれの赤色、緑色および青色のマイクロＬＥＤ４０５ａ，４０５ｂ，４０５ｃのそれぞれに供給される電流をそれぞれの電極４０３ａ，４０３ｂ，４０３ｃによって制御することによって、画素３０５ｘｙは、付加的な色混合に基づいて可視光の広い色スペクトルを提供することができる。幾つかの実施形態において、画素３０５ｘｙは、モノクローム発光のための１つのマイクロＬＥＤを有することができ、カラーディスプレイを色温度変換によって達成することができる。同様に、幾つかの実施形態において、画素３０５ｘｙは、本開示の範囲から逸脱することなく、本開示の実施形態に従って光を発するために、多色ＬＥＤとして提供された１つのマイクロＬＥＤ、色フィルタが設けられた１つ以上の青色または白色ＬＥＤ、またはマイクロサイズダイオードとして提供されたその他の半導体光源を含むことができる。加えて、幾つかの実施形態において、マイクロＬＥＤは、例えば、標準的な発光ダイオード（ＬＥＤ）および液晶ディスプレイ（ＬＣＤ）より低い電力消費および高いコントラスト比ならびに例えば、有機発光ダイオード（ＯＬＥＤ）より長い使用寿命を提供することができる。
【００４３】
図２に戻り、表４〜表２３を参照すると、複数のタイルが、４種類の異なる切断技術を用いて、表１の公称寸法に基づいて切断された。加えて、各タイルの対応する所定のパラメータ（例えば、Ｄ１〜Ｄ８）が測定および記録された。所定のパラメータの公称値に対する、所定のパラメータの測定値の偏差は、幾つかの実施形態において、それぞれの切断技術の正確性、精度および公差に起因する可能性がある。加えて、幾つかの実施形態において、複数のタイルの各タイルの１つ以上の縁部を切断するために、２種類以上の異なる切断技術を使用することができる。
【００４４】
例えば、５６個のタイルを切断するために、標準的な半導体ダイシングソーを使用する第１の切断技術（切断技術１）が用いられた。表４〜表８は、切断技術１によって切断された各タイルの所定のパラメータの測定値および対応する度数（frequency）を示している。幾つかの実施形態において、タイルの合計度数が、切断技術１を使用して切断された５６個のタイルと異なる場合、特定の測定結果が、少なくとも誤差または不一致に基づいて省略されることがあると理解されるべきであり、このような省略は、測定値の統計的意義を変更しないと考えられる。特に、表４は、切断技術１を用いて切断された複数のタイルの第１の横方向寸法Ｄ１の測定値および測定値の対応する度数を示している。
【００４５】
【表４】
2021502598.tif 000006
【００４６】
表５は、切断技術１を用いて切断された複数のタイルの第２の横方向寸法Ｄ２の測定値および測定値の対応する度数を示している。
【００４７】
【表５】
2021502598.tif 000007
【００４８】
表６は、切断技術１を用いて切断された複数のタイルの直角度（Ｄ３−Ｄ４）の測定値および測定値の対応する度数を示している。
【００４９】
【表６】
2021502598.tif 000008
【００５０】
表７は、切断技術１を用いて切断された複数のタイルの第１の横方向寸法Ｄ１に関する真直度（Ｄ５，Ｄ６）の測定値および測定値の対応する度数を示している。
【００５１】
【表７】
2021502598.tif 000009
【００５２】
表８は、切断技術１を用いて切断された複数のタイルの第２の横方向寸法Ｄ２に関する真直度（Ｄ７，Ｄ８）の測定値および測定値の対応する度数を示している。
【００５３】
【表８】
2021502598.tif 000010
【００５４】
５２個のタイルを切断するために、MDI Advanced Processing社によって製造されたＭＰ５００精密メカニカルスクライブを使用する第２の切断技術（切断技術２）が用いられた。表９〜表１３は、切断技術２によって切断された各タイルの所定のパラメータの測定値を示している。幾つかの実施形態において、タイルの合計度数が、切断技術２を使用して切断された５２個のタイルと異なる場合、特定の測定結果が、少なくとも誤差または不一致に基づいて省略されることがあると理解されるべきであり、このような省略は、測定値の統計的意義を変更しないと考えられる。特に、表９は、切断技術２を用いて切断された複数のタイルの第１の横方向寸法Ｄ１の測定値および測定値の対応する度数を示している。
【００５５】
【表９】
2021502598.tif 000011
【００５６】
表１０は、切断技術２を用いて切断された複数のタイルの第２の横方向寸法Ｄ２の測定値および測定値の対応する度数を示している。
【００５７】
【表１０】
2021502598.tif 000012
【００５８】
表１１は、切断技術２を用いて切断された複数のタイルの直角度（Ｄ３−Ｄ４）の測定値および測定値の対応する度数を示している。
【００５９】
【表１１】
2021502598.tif 000013
【００６０】
表１２は、切断技術２を用いて切断された複数のタイルの第１の横方向寸法Ｄ１に関する真直度（Ｄ５，Ｄ６）の測定値および測定値の対応する度数を示している。
【００６１】
【表１２】
2021502598.tif 000014
【００６２】
表１３は、切断技術２を用いて切断された複数のタイルの第２の横方向寸法Ｄ２に関する真直度（Ｄ７，Ｄ８）の測定値および測定値の対応する度数を示している。
【００６３】
【表１３】
2021502598.tif 000015
【００６４】
４１個のタイルを切断するために、非回折ビームＣＬＴレーザ切断プロセスを利用する第３の切断技術（切断技術３）が用いられた。表１４〜表１８は、切断技術３によって切断された各タイルの所定のパラメータの測定値を示している。幾つかの実施形態において、タイルの合計度数が、切断技術３を使用して切断された４１個のタイルと異なる場合、特定の測定結果が、少なくとも誤差または不一致に基づいて省略されることがあると理解されるべきであり、このような省略は、測定値の統計的意義を変更しないと考えられる。特に、表１４は、切断技術３を用いて切断された複数のタイルの第１の横方向寸法Ｄ１の測定値および測定値の対応する度数を示している。
【００６５】
【表１４】
2021502598.tif 000016
【００６６】
表１５は、切断技術３を用いて切断された複数のタイルの第２の横方向寸法Ｄ２の測定値および測定値の対応する度数を示している。
【００６７】
【表１５】
2021502598.tif 000017
【００６８】
表１６は、切断技術３を用いて切断された複数のタイルの直角度（Ｄ３−Ｄ４）の測定値および測定値の対応する度数を示している。
【００６９】
【表１６】
2021502598.tif 000018
【００７０】
表１７は、切断技術３を用いて切断された複数のタイルの第１の横方向寸法Ｄ１に関する真直度（Ｄ５，Ｄ６）の測定値および測定値の対応する度数を示している。
【００７１】
【表１７】
2021502598.tif 000019
【００７２】
表１８は、切断技術３を用いて切断された複数のタイルの第２の横方向寸法Ｄ２に関する真直度（Ｄ７，Ｄ８）の測定値および測定値の対応する度数を示している。
【００７３】
【表１８】
2021502598.tif 000020
【００７４】
４８個のタイルを切断するために、精密スクライブおよびブレイクプロセス利用する、TLC International社のPhoenixブランド（例えば、Gen-3、Gen-5）の機械式ガラス切断工作機械を使用する第４の切断技術（切断技術４）が用いられた。表１９〜表２３は、切断技術４によって切断された各タイルの所定のパラメータの測定値を示している。幾つかの実施形態において、タイルの合計度数が、切断技術４を使用して切断された４８個のタイルと異なる場合、特定の測定結果が、少なくとも誤差または不一致に基づいて省略されることがあると理解されるべきであり、このような省略は、測定値の統計的意義を変更しないと考えられる。特に、表１９は、切断技術４を用いて切断された複数のタイルの第１の横方向寸法Ｄ１の測定値および測定値の対応する度数を示している。
【００７５】
【表１９】
2021502598.tif 000021
【００７６】
表２０は、切断技術４を用いて切断された複数のタイルの第２の横方向寸法Ｄ２の測定値および測定値の対応する度数を示している。
【００７７】
【表２０】
2021502598.tif 000022
【００７８】
表２１は、切断技術４を用いて切断された複数のタイルの直角度（Ｄ３−Ｄ４）の測定値および測定値の対応する度数を示している。
【００７９】
【表２１】
2021502598.tif 000023
【００８０】
表２２は、切断技術４を用いて切断された複数のタイルの第１の横方向寸法Ｄ１に関する真直度（Ｄ５，Ｄ６）の測定値および測定値の対応する度数を示している。
【００８１】
【表２２】
2021502598.tif 000024
【００８２】
表２３は、切断技術４を用いて切断された複数のタイルの第２の横方向寸法Ｄ２に関する真直度（Ｄ７，Ｄ８）の測定値および測定値の対応する度数を示している。
【００８３】
【表２３】
2021502598.tif 000025
【００８４】
表４〜表２３の測定値を用いて、複数のタイルをランダムに作成するためにコンピュータシミュレーションが行われた。この場合、ランダムに作成されたそれぞれのタイルは、測定値を統計的に表した所定のパラメータ（Ｄ１〜Ｄ８）を有する。例えば、測定値を用いることによって、コンピュータシミュレーションは、統計的に多数のタイルを物理的に切断および製造することなく、タイルを物理的に切断することによって製造されるはずの統計的に多数のタイルの所定のパラメータを正確に表す統計的に多数のタイル（例えば、１０万個のタイル、２５万個のタイル、５０万個のタイル、１００万個のタイル、１０００万個のタイル、１億個のタイルなど）をランダムに作成することができる。幾つかの実施形態において、各切断技術（例えば、切断技術１〜４）のそれぞれの所定のパラメータ（例えば、第１の横方向寸法Ｄ１、第２の横方向寸法Ｄ２、直角度（Ｄ３−Ｄ４）、Ｄ１真直度（Ｄ５，Ｄ６）およびＤ２真直度（Ｄ７，Ｄ８））の測定値を、統計的に多数のタイルの所定のパラメータの値をそこからランダムに生成することができる統計的分布と数値的に合致させることができる。特に、数式１は、正規分布（ガウス分布）および関連する変数を提供する。数式１によって、統計的に多数のタイルの所定のパラメータのうちの幾つかを測定値に基づいて求めることができる。
【００８５】
【数１】
2021502598.tif 000026
【００８６】
同様に、数式２は、組み合わされた正規分布（ガウス分布）および関連する変数を提供する。数式２によって、統計的に多数のタイルの所定のパラメータのうちの幾つかを測定値に基づいて求めることができる。
【００８７】
【数２】
2021502598.tif 000027
【００８８】
同様に、数式３は、対数正規分布および関連する変数を提供する。数式３によって、統計的に多数のタイルの所定のパラメータのうちの幾つかを測定値に基づいて求めることができる。
【００８９】
【数３】
2021502598.tif 000028
【００９０】
したがって、幾つかの実施形態において、データの分布に応じて、統計的に多数のタイルの各タイルのための所定のパラメータをランダムに形成するために、各切断技術１〜４によって切断されたタイルの所定の各パラメータ（Ｄ１〜Ｄ８）の測定値と組み合わせて、数式１〜３のうちの１つが用いられた。例えば、表２４〜表４３は、計算された変数を示している。計算された変数は、切断技術１〜４の、ランダムに作成された統計的に多数のタイルの各タイルのための所定のパラメータを計算するために、表４〜表２３の測定値に基づいて求められており、かつ数式１〜３のうちの１つと組み合わせて使用される。計算のために、タイルの全ての縁部が同じ分布を有すると仮定される。しかしながら、幾つかの実施形態において、タイルの１つ以上の縁部は、異なる分布を有してもよく、１種類以上の異なる切断技術または縁部加工技術（例えば、研削、研磨）によって提供されてもよい。特に、数式１に基づいてランダムに形成された所定のパラメータの場合には、「（正規）」という用語が、表におけるリストにあり、測定値に基づいて計算されたそれぞれの変数と、対応する正規分布および関連する変数とを示している。同様に、数式２に基づいてランダムに形成された所定のパラメータの場合には、「（組み合わされた）」という用語が、表におけるリストにあり、測定値に基づいて計算されたそれぞれの変数と、対応する組み合わされた正規分布および関連する変数とを示している。同様に、数式３に基づいてランダムに形成された所定のパラメータの場合には、「（ｌｎ）」という用語が、表におけるリストにあり、測定値に基づいて計算されたそれぞれの変数と、対応する対数正規分布および関連する変数とを示している。
【００９１】
特に、表２４〜表２８は、計算された変数を示している。計算された変数は、切断技術１の統計的に多数のタイルの各タイルのための所定のパラメータをランダムに形成するために、表４〜表８の測定値（例えば、第１の横方向寸法Ｄ１、第２の横方向寸法Ｄ２、直角度（Ｄ３−Ｄ４）、Ｄ１真直度（Ｄ５，Ｄ６）およびＤ２真直度（Ｄ７，Ｄ８））に基づいてそれぞれ求められており、（明示されているように）数式１〜３のうちの１つと組み合わせて使用される。
【００９２】
【表２４】
2021502598.tif 000029
【００９３】
【表２５】
2021502598.tif 000030
【００９４】
【表２６】
2021502598.tif 000031
【００９５】
【表２７】
2021502598.tif 000032
【００９６】
【表２８】
2021502598.tif 000033
【００９７】
加えて、表２９〜表３３は、計算された変数を示している。計算された変数は、切断技術２の統計的に多数のタイルの各タイルのための所定のパラメータをランダムに形成するために、表９〜表１３の測定値（例えば、第１の横方向寸法Ｄ１、第２の横方向寸法Ｄ２、直角度（Ｄ３−Ｄ４）、Ｄ１真直度（Ｄ５，Ｄ６）およびＤ２真直度（Ｄ７，Ｄ８））に基づいてそれぞれ求められており、（明示されているように）数式１〜３のうちの１つと組み合わせて使用される。
【００９８】
【表２９】
2021502598.tif 000034
【００９９】
【表３０】
2021502598.tif 000035
【０１００】
【表３１】
2021502598.tif 000036
【０１０１】
【表３２】
2021502598.tif 000037
【０１０２】
【表３３】
2021502598.tif 000038
【０１０３】
加えて、表３４〜表３８は、計算された変数を示している。計算された変数は、切断技術３の統計的に多数のタイルの各タイルのための所定のパラメータをランダムに形成するために、表１４〜表１８の測定値（例えば、第１の横方向寸法Ｄ１、第２の横方向寸法Ｄ２、直角度（Ｄ３−Ｄ４）、Ｄ１真直度（Ｄ５，Ｄ６）およびＤ２真直度（Ｄ７，Ｄ８））に基づいてそれぞれ求められており、（明示されているように）数式１〜３のうちの１つと組み合わせて使用される。
【０１０４】
【表３４】
2021502598.tif 000039
【０１０５】
【表３５】
2021502598.tif 000040
【０１０６】
【表３６】
2021502598.tif 000041
【０１０７】
【表３７】
2021502598.tif 000042
【０１０８】
【表３８】
2021502598.tif 000043
【０１０９】
加えて、表３９〜表４３は、計算された変数を示している。計算された変数は、切断技術４の統計的に多数のタイルの各タイルのための所定のパラメータをランダムに形成するために、表１９〜表２３の測定値（例えば、第１の横方向寸法Ｄ１、第２の横方向寸法Ｄ２、直角度（Ｄ３−Ｄ４）、Ｄ１真直度（Ｄ５，Ｄ６）およびＤ２真直度（Ｄ７，Ｄ８））に基づいてそれぞれ求められており、（明示されているように）数式１〜３のうちの１つと組み合わせて使用される。
【０１１０】
【表３９】
2021502598.tif 000044
【０１１１】
【表４０】
2021502598.tif 000045
【０１１２】
【表４１】
2021502598.tif 000046
【０１１３】
【表４２】
2021502598.tif 000047
【０１１４】
【表４３】
2021502598.tif 000048
【０１１５】
さらに、幾つかの実施形態において、様々なサイズの（ｎ×ｍ）アレイへの、ランダムに形成された所定のパラメータＤ１〜Ｄ８を有する統計的に多数のタイルの組立てをシミュレーションするために、別のコンピュータシミュレーションを実施することができる。幾つかの実施形態において、コンピュータシミュレーションによって得られた情報に基づき１つ以上の方式を用いて、ディスプレイ領域を組み立てる実用的な方法を使用することができる。以下でより詳細に説明するように、幾つかの実施形態において、１つ以上の方式の使用は、アレイへの複数のタイルの組立ておよび位置決めに関する１つ以上の利点を提供することができる。さもないと、これらの利点は、１つ以上の方式を使用することなしに得られないことがある。
【０１１６】
例えば、幾つかの実施形態において、コンピュータシミュレーションは、様々なアレイのうちの１つへの、ランダムに作成された各タイルの組立てをシミュレーションすることができる。幾つかの実施形態において、各タイルを、グローバルポジション法に基づいてアレイに位置決めすることができ、この方法では、タイルの位置決めは、他のタイルの相対位置にかかわらず、所定のグローバルな空間座標に基づいている。代替的に、幾つかの実施形態において、各タイルを、相対ポジション法に基づいてアレイに位置決めすることができ、この方法では、タイルの位置決めは、タイルのグローバルな空間座標にかかわらず、すぐ隣接し合うタイル（すなわち、間に他のタイルが存在することなく互いに直接的に隣接し合って位置決めされた１つ以上のタイル）の相対位置に基づいている。さらに、幾つかの実施形態において、シミュレーション中にグローバルポジション法と共に使用されるかまたは相対ポジション法と共に使用されるかにかかわらず、タイルが、１つ以上のすぐ隣接し合うタイルに対して重なり合った関係において位置決めされると、シミュレーションは、１つ以上のすぐ隣接し合うタイルに対するタイルの位置を選択的に調節することができ、これにより、タイルは、１つ以上のすぐ隣接し合うタイルに対して重なり合わない関係においてアレイに位置決めされる。
【０１１７】
図５を参照して、ここで、ディスプレイ装置５００のディスプレイ領域５１０を組み立てる方法を説明する。その際、ディスプレイ領域１０１およびディスプレイ装置１００の１つ以上の特徴は、単独で、またはディスプレイ領域５１０およびディスプレイ装置５００の１つ以上の特徴と組み合わせて提供することができることが理解される。ディスプレイ領域５１０を組み立てる方法は、本開示の実施形態による１つ以上のディスプレイ装置５００において使用されるディスプレイ領域５１０を組み立てるコンピュータシミュレーションおよび／または実際の方法として使用することができる。
【０１１８】
幾つかの実施形態において、方法は、複数のタイル５０５（例えば、第１のタイル５０１、第２のタイル５０２、第３のタイル５０３および第４のタイル５０４）を提供するステップを含むことができる。その際、複数のタイル５０５のうちの各タイル５０１，５０２，５０３，５０４は、１つ以上の所定のパラメータ（図２における所定のパラメータＤ１〜Ｄ８）を有する複数のタイル１０５のうちのタイル１０５ｉｊの１つ以上の特徴と、複数の画素を画定する複数のマイクロＬＥＤ（図３における複数の画素３０５、複数のマイクロＬＥＤ３００および図４におけるマイクロＬＥＤ４０５ａ，４０５ｂ，４０５ｃ）とを有することができることが理解される。加えて、４個のタイル５０１，５０２，５０３，５０４が示されているが、幾つかの実施形態において、複数のタイル５０５が５個以上のタイルを含むことができることが理解される。例えば、幾つかの実施形態において、複数のタイル５０５は、ディスプレイ領域５１０を画定する５×５アレイに組み立てられる２５個のタイル、ディスプレイ領域５１０を画定する６×６アレイに組み立てられる３６個のタイル、ディスプレイ領域５１０を画定する７×７アレイに組み立てられる４９個のタイル、ディスプレイ領域５１０を画定する８×８アレイに組み立てられる６４個のタイル、ディスプレイ領域５１０を画定する９×９アレイに組み立てられる８１個のタイル、ディスプレイ領域５１０を画定する１０×１０アレイに組み立てられる１００個のタイル、または本開示の範囲から逸脱することなくｎ×ｍアレイ（図１参照）に組み立てられるあらゆるその他の数のタイルを含むことができる。幾つかの実施形態において、ｎはｍと等しいことができ（例えば、５×５アレイ、６×６アレイ、７×７アレイなど）、幾つかの実施形態において、ｎとｍとは異なってもよい（例えば、５×６アレイ、６×８アレイ、７×１０アレイなど）。
【０１１９】
図５に戻ると、幾つかの実施形態において、第１のタイル５０１の第１の縁部５０１ａから離隔させられた、第１のタイル５０１の少なくとも１つの第１の外側画素５２１ａと、第２のタイル５０２の第２の縁部５０２ａから離隔させられた、第２のタイル５０２の少なくとも１つの第２の外側画素５２２ａとの間の横方向距離５１２は、位置合わせピッチ５１２を規定することができる。同様に、幾つかの実施形態において、第１のタイル５０１の第２の縁部５０１ｂから離隔させられた、第１のタイル５０１の少なくとも１つの第１の外側画素５２１ｂと、第３のタイル５０３の第２の縁部５０３ｂから離隔させられた、第３のタイル５０３の少なくとも１つの第２の外側画素５２３ｂとの間の横方向距離５１３は、位置合わせピッチ５１３を規定することができる。幾つかの実施形態において、位置合わせピッチ５１２は、第１のタイル５０１の第１の縁部５０１ａからの少なくとも１つの第１の外側画素５２１ａの第１の横方向オフセット５３１ａ、第２のタイル５０２の第２の縁部５０２ａからの少なくとも１つの第２の外側画素５２２ａの第２の横方向オフセット５３２ａおよび第１のタイル５０１の第１の縁部５０１ａと第２のタイル５０２の第２の縁部５０２ａとの間の空間（例えば、間隙５３４）に基づいて規定することができる。同様に、幾つかの実施形態において、位置合わせピッチ５１３は、第１のタイル５０１の第２の縁部５０１ｂからの少なくとも１つの第１の外側画素５２１ｂの第１の横方向オフセット５３１ｂ、第３のタイル５０３の第２の縁部５０３ｂからの少なくとも１つの第２の外側画素５２３ｂの第２の横方向オフセット５３３ｂおよび第１のタイル５０１の第２の縁部５０１ｂと第３のタイル５０３の第２の縁部５０３ｂとの間の空間（例えば、間隙５３５）に基づいて規定することができる。幾つかの実施形態において、横方向オフセット５３１ａ，５３２ａ，５３１ｂおよび５３３ｂは、切断された縁部がそれぞれの外側画素の電子的作動を妨害しないように選択された、それぞれの外側画素の中心からタイルの切断された縁部の最も近い位置までのそれぞれの距離として規定することができる。さらに、付加的なタイルがアレイに組み立てられる場合、付加的なタイルのうちのすぐ隣接し合うタイルのすぐ隣接し合う外側画素の間にそれぞれの位置合わせピッチを規定することができる。
【０１２０】
幾つかの実施形態において、間隙５３４，５３５は、タイル５０１，５０２，５０３のすぐ隣接し合う縁部（縁部５０１ａと縁部５０２ａ、縁部５０１ｂと縁部５０３ｂ）の間の接触を防止するように選択することができる。幾つかの実施形態において、タイル５０１，５０２，５０３のすぐ隣接し合う縁部の間の接触を防止することによって、すぐ隣接し合う縁部のチッピング、き裂、破損およびその他の損傷を防止することができる。さもないと、これらは、すぐ隣接し合う縁部が接触すると生じることがある。例えば、幾つかの実施形態において、間隙５３４，５３５は、約５マイクロメートル〜約２００マイクロメートルであることができ、それらの間の全ての範囲および部分範囲を含む。例えば、幾つかの実施形態において、間隙５３４，５３５は、約５マイクロメートル〜約５０マイクロメートル、約５０マイクロメートル〜約１００マイクロメートル、約１００マイクロメートル〜約２００マイクロメートルであることができる。さらに、幾つかの実施形態において、間隙５３４，５３５は、公称タイル２００（図２参照）の対応する値からの所定のパラメータのうちの少なくとも１つの値（例えば、第１の横方向寸法Ｄ１、第２の横方向寸法Ｄ２、直角度（Ｄ３−Ｄ４）、Ｄ１真直度（Ｄ５，Ｄ６）およびＤ２真直度（Ｄ７，Ｄ８））に基づいて、タイル５０１，５０２，５０３のそれぞれのすぐ隣接し合う縁部（縁部５０１ａと縁部５０２ａ、縁部５０１ｂと縁部５０３ｂ）に沿って変化することができる。
【０１２１】
幾つかの実施形態において、横方向オフセット５３１ａ，５３２ａ，５３１ｂ，５３３ｂを各タイル５０１，５０２，５０３に設けることができ、これにより、関連するエレクトロニクス（例えば、薄膜トランジスタ、配線）およびマイクロＬＥＤを含む少なくとも１つの外側画素５２１ａ，５２２ａ，５２１ｂ，５２３ｂは、タイル５０１，５０２，５０３のそれぞれの縁部５０１ａ，５０２ａ，５０１ｂ，５０３ｂから所定の距離だけ離隔させられており、これにより、例えば、マイクロＬＥＤが電気的または機械的損傷から保護されている。さもないと、電気的または機械的損傷は、関連するエレクトロニクスおよびマイクロＬＥＤを含む少なくとも１つの外側画素５２１ａ，５２２ａ，５２１ｂ，５２３ｂがタイル５０１，５０２，５０３のそれぞれの縁部５０１ａ，５０２ａ，５０１ｂ，５０３ｂと同一平面に位置したときに生じることがある。幾つかの実施形態において、横方向オフセット５３１ａ，５３２ａ，５３１ｂ，５３３ｂは、約０．０２ｍｍ〜約０．６ｍｍの範囲であることができ、それらの間の全ての範囲および部分範囲を含む。例えば、幾つかの実施形態において、横方向オフセット５３１ａ，５３２ａ，５３１ｂ，５３３ｂは、約０．０２ｍｍ〜約０．０５ｍｍ、約０．０５ｍｍ〜約０．１ｍｍ、約０．１ｍｍ〜約０．２ｍｍ、約０．２ｍｍ〜約０．３ｍｍ、約０．３ｍｍ〜約０．４ｍｍ、約０．４ｍｍ〜約０．５ｍｍ、約０．５ｍｍ〜約０．６ｍｍであることができる。
【０１２２】
幾つかの実施形態において、ディスプレイ装置のディスプレイ領域を画定するアレイに組み立てられた全てのすぐ隣接し合うタイルに関する所定の位置合わせピッチを規定することによって、判断基準を提供することができる。この判断基準において、例えば、所定の位置合わせピッチ以下の位置合わせピッチは、許容できると考えることができ、所定の位置合わせピッチより大きい位置合わせピッチは、許容できないと考えることができる。幾つかの実施形態において、許容できる位置合わせピッチは、視覚的に均一で継ぎ目のないディスプレイ領域に相当することができ、このディスプレイ領域において、アレイに組み立てられた全てのすぐ隣接し合う個々のタイルの境界およびこれらのタイルの間の境界は、ディスプレイ領域を画定する複数の画素を見ている人間の目にとって視覚的に識別不可能である。これに対して、幾つかの実施形態において、許容できない位置合わせピッチは、アレイに組み立てられた１つ以上のすぐ隣接し合う個々のタイルの境界およびこれらのタイルの間の境界が、ディスプレイ領域を画定する複数の画素を見ている人間の目にとって視覚的に識別可能であるようなディスプレイ領域に相当することができる。
【０１２３】
例えば、幾つかの実施形態において、ディスプレイ領域の許容できないアレイは、所定の位置合わせピッチより大きな横方向距離だけ離隔させられた、すぐ隣接し合うタイルの１つ以上のすぐ隣接し合う外側画素を含むアレイであると定義することができる。同様に、幾つかの実施形態において、ディスプレイ領域の許容できるアレイは、すぐ隣接し合うタイルの全てのすぐ隣接し合う外側画素が所定の位置合わせピッチ以下の横方向距離だけ離隔させられているアレイであると定義することができる。幾つかの実施形態において、（例えば、アレイへのタイルの組立てをシミュレーションするコンピュータシミュレーション中の）不良とは、許容できないディスプレイ領域のシミュレーションされた発生であると定義することができる。同様に、幾つかの実施形態において、（例えば、アレイへのタイルの組立てをシミュレーションするコンピュータシミュレーション中の）不良率とは、許容できるディスプレイ領域のシミュレーションされた発生に対する、許容できないディスプレイ領域のシミュレーションされた発生の比と定義することができる。例えば、幾つかの実施形態において、アレイへのタイルの組立てをシミュレーションするコンピュータシミュレーションに関して、１００％の不良率とは、シミュレーションされた全てのアレイが、許容できないディスプレイ領域に含まれるようなシミュレーションに対応することができ、０％の不良率とは、シミュレーションされた全てのアレイが、許容できるディスプレイ領域に含まれるようなシミュレーションに対応することができる。
【０１２４】
幾つかの実施形態において、位置合わせピッチ５１２，５１３は、画素ピッチ（図３における画素ピッチｐｘ，ｐｙ）の約１．５倍以下であることができる。加えて、幾つかの実施形態において、位置合わせピッチ５１２，５１３は、画素ピッチｐｘ，ｐｙの約１．４倍以下、画素ピッチｐｘ，ｐｙの約１．３倍以下、画素ピッチｐｘ，ｐｙの約１．２５倍以下、画素ピッチｐｘ，ｐｙの約１．２倍以下または画素ピッチｐｘ，ｐｙの約１．１倍以下であることができる。さらに幾つかの実施形態において、位置合わせピッチ５１２，５１３は、画素ピッチｐｘ，ｐｙの約１．０１倍以下または画素ピッチｐｘ，ｐｙ以下であることができる。幾つかの実施形態において、位置合わせピッチ５１２は、位置合わせピッチ５１３と異なることができる。同様に、幾つかの実施形態において、位置合わせピッチ５１２は、画素ピッチｐｘおよび画素ピッチｐｙのうちの少なくとも一方に基づくことができ、位置合わせピッチ５１３は、画素ピッチｐｘおよび画素ピッチｐｙのうちの少なくとも一方に基づくことができる。幾つかの実施形態において、位置合わせピッチ５１２は、位置合わせピッチ５１３に対して同じまたは異なる比率における画素ピッチｐｘ，ｐｙのうちの少なくとも１つに基づくことができる。幾つかの実施形態において、位置合わせピッチ５１２，５１３は、ディスプレイ領域が使用される用途を含むがこれに限定されない１つ以上の付加的な要因に基づいて選択することができる。幾つかの実施形態において、画素ピッチｐｘ，ｐｙに基づいて位置合わせピッチ５１２，５１３を規定することによって、本開示の実施形態による１つ以上のディスプレイ装置において使用される、視覚的に訴える高品質のディスプレイを提供する均一で継ぎ目のない画素のアレイとして人間の目に見える対応するディスプレイ領域を提供することができる。
【０１２５】
図６、図７、表４４および表４５に関して、切断技術１〜４の違いを比較するために１つの典型的なコンピュータシミュレーションが用いられた。特に、コンピュータシミュレーションは、複数のそれぞれのディスプレイアレイを画定する複数のアレイへの、所定のパラメータＤ１〜Ｄ８のランダムに生成された値を有する統計的に多数のタイルの組立てをシミュレーションした。コンピュータシミュレーションにおいて、対応する画素ピッチｐｘ，ｐｙより１．１倍大きい位置合わせピッチに関して規定された不良判断基準を用いて相対ポジション法が用いられた。
【０１２６】
図６は、本開示の実施形態による各切断技術１〜４における５０マイクロメートルの横方向オフセットを有する複数のタイルを含むディスプレイ領域のシミュレーションされた組立てに基づく典型的なプロットを示しており、縦軸または「Ｙ」軸は不良率をパーセンテージ（％）において示しており、横軸または「Ｘ」軸は画素ピッチをマイクロメートル（μｍ）において示している。加えて、表４４は、各切断技術１〜４について、５０マイクロメートル〜５００マイクロメートルの範囲の画素ピッチに対する規定された不良判断基準に関して、図６に示されたプロットの元になるデータを提供している。線６０１ａは、切断技術１の関連する不良率を表し、線６０２ａは、切断技術２の関連する不良率を表し、線６０３ａは、切断技術３の関連する不良率を表し、線６０４ａは、切断技術４の関連する不良率を表す。
【０１２７】
【表４４】
2021502598.tif 000049
【０１２８】
図６および表４４から分かるように、コンピュータシミュレーションに基づいて、幾つかの実施形態において、切断技術１を用いることによって、約１５０マイクロメートル以上の画素ピッチを有する複数の配列されたタイルを有するディスプレイ領域の場合に約１０％以下の不良率を達成することができる。同様に、切断技術２を用いることによって、約２００マイクロメートル以上の画素ピッチを有する複数の配列されたタイルを有するディスプレイ領域の場合に約１０％以下の不良率を達成することができ、切断技術３を用いることによって、約２５０マイクロメートル以上の画素ピッチを有する複数の配列されたタイルを有するディスプレイ領域の場合に約１０％以下の不良率を達成することができ、切断技術４を用いることによって、約３００マイクロメートル以上の画素ピッチを有する複数の配列されたタイルを有するディスプレイ領域の場合に約１０％以下の不良率を達成することができる。
【０１２９】
図７は、本開示の実施形態による各切断技術１〜４における１００マイクロメートルの横方向オフセットを有する複数のタイルを含むディスプレイ領域のシミュレーションされた組立てに基づく典型的なプロットを示しており、縦軸または「Ｙ」軸は不良率をパーセンテージ（％）において示しており、横軸または「Ｘ」軸は画素ピッチをマイクロメートル（μｍ）において示している。加えて、表４５は、各切断技術１〜４について、５０マイクロメートル〜５００マイクロメートルの範囲の画素ピッチに対する規定された不良判断基準に関して、図７に示されたプロットの元になるデータを提供している。線６０１ｂは、切断技術１の関連する不良率を表し、線６０２ｂは、切断技術２の関連する不良率を表し、線６０３ｂは、切断技術３の関連する不良率を表し、線６０４ｂは、切断技術４の関連する不良率を表す。
【０１３０】
【表４５】
2021502598.tif 000050
【０１３１】
図７および表４５から分かるように、コンピュータシミュレーションに基づいて、幾つかの実施形態において、切断技術１を用いることによって、約２５０マイクロメートル以上の画素ピッチを有する複数の配列されたタイルを有するディスプレイ領域の場合に約１０％以下の不良率を達成することができる。同様に、切断技術２を用いることによって、約３００マイクロメートル以上の画素ピッチを有する複数の配列されたタイルを有するディスプレイ領域の場合に約１０％以下の不良率を達成することができ、切断技術３を用いることによって、約３５０マイクロメートル以上の画素ピッチを有する複数の配列されたタイルを有するディスプレイ領域の場合に約１０％以下の不良率を達成することができ、切断技術４を用いることによって、約４００マイクロメートル以上の画素ピッチを有する複数の配列されたタイルを有するディスプレイ領域の場合に約１０％以下の不良率を達成することができる。
【０１３２】
したがって、図６および図７に示されたコンピュータシミュレーションの結果に基づいて、許容できる不良率および所定の画素ピッチに基づいて複数のタイルを切断するために特定の切断技術（例えば、切断技術１〜４）を選択してもよい。幾つかの実施形態において、切断技術のそれぞれのコストを考慮し、使用される切断技術の選択の要因に入れることができる。例えば、幾つかの実施形態において、高品質ディスプレイ領域（例えば、モバイルディスプレイ、テレビディスプレイ）において使用されるタイルを切断するために切断技術１を選択することができる。これに対して、相対的により低い品質のディスプレイ領域（例えば、野外看板）において使用されるタイルを切断するために切断技術４を選択することができる。幾つかの実施形態において、切断技術１は、例えば、切断技術４より、用いるために相対的に高価であるかつ／または時間がかかる可能性がある。したがって、図６および図７に示されたコンピュータシミュレーションから得られた情報に基づいて切断技術１〜４のうちの１つを選択することによって、かなりの利点を得ることができる。
【０１３３】
さらに、図８〜図１１および表４６〜表５７に関して説明するように、ｐｘがｐｙと等しい場合に、５０マイクロメートルおよび１００マイクロメートルの横方向オフセット（図５における横方向オフセット５３１ａ，５３２ａ，５３１ｂ，５３３ｂ）で３７２マイクロメートルの所定の画素ピッチ（ｐｘ，ｐｙ）を有する、切断技術３に対応する統計的に多数のタイルのための所定のパラメータＤ１〜Ｄ８のランダムに生成された値に基づいて、別のコンピュータシミュレーションが使用された。所定のパラメータＤ１〜Ｄ８のランダムに生成された値を有するシミュレーションされた各タイルは、グローバル位置決め法および相対位置決め法を用いて複数の（ｎ×ｍ）アレイに組み立てられた。加えて、画素ピッチの１．５倍、画素ピッチの１．１倍および画素ピッチの１．０１倍の位置合わせピッチがシミュレーションされた。シミュレーションされた各シナリオにおいて、代表的な傾向および結論を得ることができる統計的サンプルを提供するために、シミュレーションは１００万回繰り返された。さらに、切断技術３のコンピュータシミュレーションに基づく観察された傾向（図８〜図１１および表４６〜表５７)は、図６、図７、表４４および表４５に示された比較データを考慮して、切断技術１、切断技術２および切断技術４に関して、等しく関連する結論を示すことができることが理解されるべきである。
【０１３４】
加えて、３つの異なるタイリング方式がシミュレーションされ、ディスプレイ領域のそれぞれの不良率が記録された。第１のタイリング方式は、アレイに組み立てられる各タイルをランダムに選択することを含むことができる。例えば、幾つかの実施形態において、第１のタイリング方式に関して、コンピュータシミュレーションは、所定のパラメータＤ１〜Ｄ８のランダムに生成された値の考慮なしに、所定のパラメータＤ１〜Ｄ８のランダムに生成された値を有する各タイルをランダムに選択し、本開示の実施形態に従って様々なアレイにタイルを組み立てた。
【０１３５】
表４６は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めするグローバル位置決め法を用いて、５０マイクロメートル横方向オフセットタイルに関して、第１のタイリング方式を用いるコンピュータシミュレーションの不良率を示している。
【０１３６】
【表４６】
2021502598.tif 000051
【０１３７】
加えて、図８は、表４６の第１のタイリング方式のシミュレーションされた組立てに基づく典型的なプロットを示しており、縦軸または「Ｙ」軸は、不良率をパーセンテージ（％）において示しており、横軸または「Ｘ」軸は、ディスプレイ領域サイズをアレイにおけるタイルの数（ｎ×ｍ）において示している。特に、線７０１ａは、第１のタイリング方式を用いるグローバル位置決め法によって組み立てられた５０マイクロメートルオフセットタイルの場合の画素ピッチの１．１倍の位置合わせピッチに関する様々なアレイのそれぞれの不良率を示しており、線７０１ｂは、第１のタイリング方式を用いるグローバル位置決め法によって組み立てられた５０マイクロメートルオフセットタイルの場合の画素ピッチの１．０１倍の位置合わせピッチに関する様々なアレイのそれぞれの不良率を示している。
【０１３８】
表４７は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めする相対位置決め法を用いて、５０マイクロメートル横方向オフセットタイルに関して、第１のタイリング方式を用いるコンピュータシミュレーションの不良率を示している。
【０１３９】
【表４７】
2021502598.tif 000052
【０１４０】
加えて、図９は、表４７の第１のタイリング方式のシミュレーションされた組立てに基づく典型的なプロットを示しており、縦軸または「Ｙ」軸は、不良率をパーセンテージ（％）において示しており、横軸または「Ｘ」軸は、ディスプレイ領域サイズをアレイにおけるタイルの数（ｎ×ｍ）において示している。特に、線７０１ｃは、第１のタイリング方式を用いる相対位置決め法によって組み立てられた５０マイクロメートルオフセットタイルの場合の画素ピッチの１．１倍の位置合わせピッチに関する様々なアレイのそれぞれの不良率を示しており、線７０１ｄは、第１のタイリング方式を用いる相対位置決め法によって組み立てられた５０マイクロメートルオフセットタイルの場合の画素ピッチの１．０１倍の位置合わせピッチに関する様々なアレイのそれぞれの不良率を示している。
【０１４１】
表４８は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めするグローバル位置決め法を用いて、１００マイクロメートル横方向オフセットタイルに関して、第１のタイリング方式を用いるコンピュータシミュレーションの不良率を示している。
【０１４２】
【表４８】
2021502598.tif 000053
【０１４３】
加えて、図１０は、表４８の第１のタイリング方式のシミュレーションされた組立てに基づく典型的なプロットを示しており、縦軸または「Ｙ」軸は、不良率をパーセンテージ（％）において示しており、横軸または「Ｘ」軸は、ディスプレイ領域サイズをアレイにおけるタイルの数（ｎ×ｍ）において示している。特に、線７０４ａは、第１のタイリング方式を用いるグローバル位置決め法によって組み立てられた１００マイクロメートルオフセットタイルの場合の画素ピッチの１．１倍の位置合わせピッチに関する様々なアレイのそれぞれの不良率を示しており、線７０４ｂは、第１のタイリング方式を用いるグローバル位置決め法によって組み立てられた１００マイクロメートルオフセットタイルの場合の画素ピッチの１．０１倍の位置合わせピッチに関する様々なアレイのそれぞれの不良率を示している。
【０１４４】
表４９は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めする相対位置決め法を用いて、１００マイクロメートル横方向オフセットタイルに関して、第１のタイリング方式を用いるコンピュータシミュレーションの不良率を示している。
【０１４５】
【表４９】
2021502598.tif 000054
【０１４６】
加えて、図１１は、表４９の第１のタイリング方式のシミュレーションされた組立てに基づく典型的なプロットを示しており、縦軸または「Ｙ」軸は、不良率をパーセンテージ（％）において示しており、横軸または「Ｘ」軸は、ディスプレイ領域サイズをアレイにおけるタイルの数（ｎ×ｍ）において示している。特に、線７０４ｃは、第１のタイリング方式を用いる相対位置決め法によって組み立てられた１００マイクロメートルオフセットタイルの場合の画素ピッチの１．１倍の位置合わせピッチに関する様々なアレイのそれぞれの不良率を示しており、線７０４ｄは、第１のタイリング方式を用いる相対位置決め法によって組み立てられた１００マイクロメートルオフセットタイルの場合の画素ピッチの１．０１倍の位置合わせピッチに関する様々なアレイのそれぞれの不良率を示している。
【０１４７】
第２のタイリング方式は、アレイの外周に組み立てられる特定のタイルを選択しかつアレイの内側部分に組み立てられるその他のタイルを選択することを含むことができる。例えば、幾つかの実施形態において、第２のタイリング方式に関して、コンピュータシミュレーションは、それぞれの公称値に対して第１の偏差を規定する所定のパラメータＤ１〜Ｄ８のランダムに生成された値を有する複数のタイルを選択し、これらのタイルを、本
開示の実施形態による様々なアレイの外周に沿って位置決めした。加えて、幾つかの実施形態において、第２のタイリング方式に関して、コンピュータシミュレーションは、それぞれの公称値に対して第２の偏差を規定する所定のパラメータＤ１〜Ｄ８のランダムに生成された値を有する複数のタイルを選択し、これらのタイルを、本開示の実施形態による様々なアレイの内側部分に位置決めした。幾つかの実施形態において、外側タイルの第１の偏差は、内側タイルの第２の偏差より大きかった。
【０１４８】
表５０は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めするグローバル位置決め法を用いて、５０マイクロメートル横方向オフセットタイルに関して、第２のタイリング方式を用いるコンピュータシミュレーションの不良率を示している。
【０１４９】
【表５０】
2021502598.tif 000055
【０１５０】
加えて、図８は、表５０の第２のタイリング方式のシミュレーションされた組立てに基づく典型的なプロットを示している。特に、線７０２ａは、第２のタイリング方式を用いるグローバル位置決め法によって組み立てられた５０マイクロメートルオフセットタイルの場合の画素ピッチの１．１倍の位置合わせピッチに関する様々なアレイのそれぞれの不良率を示しており、線７０２ｂは、第２のタイリング方式を用いるグローバル位置決め法によって組み立てられた５０マイクロメートルオフセットタイルの場合の画素ピッチの１．０１倍の位置合わせピッチに関する様々なアレイのそれぞれの不良率を示している。
【０１５１】
表５１は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めする相対位置決め法を用いて、５０マイクロメートル横方向オフセットタイルに関して、第２のタイリング方式を用いるコンピュータシミュレーションの不良率を示している。
【０１５２】
【表５１】
2021502598.tif 000056
【０１５３】
加えて、図９は、表５１の第２のタイリング方式のシミュレーションされた組立てに基づく典型的なプロットを示している。特に、線７０２ｃは、第２のタイリング方式を用いる相対位置決め法によって組み立てられた５０マイクロメートルオフセットタイルの場合の画素ピッチの１．１倍の位置合わせピッチに関する様々なアレイのそれぞれの不良率を示しており、線７０２ｄは、第２のタイリング方式を用いる相対位置決め法によって組み立てられた５０マイクロメートルオフセットタイルの場合の画素ピッチの１．０１倍の位置合わせピッチに関する様々なアレイのそれぞれの不良率を示している。
【０１５４】
表５２は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めするグローバル位置決め法を用いて、１００マイクロメートル横方向オフセットタイルに関して、第２のタイリング方式を用いるコンピュータシミュレーションの不良率を示している。
【０１５５】
【表５２】
2021502598.tif 000057
【０１５６】
加えて、図１０は、表５２の第２のタイリング方式のシミュレーションされた組立てに基づく典型的なプロットを示している。特に、線７０５ａは、第２のタイリング方式を用いるグローバル位置決め法によって組み立てられた１００マイクロメートルオフセットタイルの場合の画素ピッチの１．１倍の位置合わせピッチに関する様々なアレイのそれぞれの不良率を示しており、線７０５ｂは、第２のタイリング方式を用いるグローバル位置決め法によって組み立てられた１００マイクロメートルオフセットタイルの場合の画素ピッチの１．０１倍の位置合わせピッチに関する様々なアレイのそれぞれの不良率を示している。
【０１５７】
表５３は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めする相対位置決め法を用いて、１００マイクロメートル横方向オフセットタイルに関して、第２のタイリング方式を用いるコンピュータシミュレーションの不良率を示している。
【０１５８】
【表５３】
2021502598.tif 000058
【０１５９】
加えて、図１１は、表５３の第２のタイリング方式のシミュレーションされた組立てに基づく典型的なプロットを示している。特に、線７０５ｃは、第２のタイリング方式を用いる相対位置決め法によって組み立てられた１００マイクロメートルオフセットタイルの場合の画素ピッチの１．１倍の位置合わせピッチに関する様々なアレイのそれぞれの不良率を示しており、線７０５ｄは、第２のタイリング方式を用いる相対位置決め法によって組み立てられた１００マイクロメートルオフセットタイルの場合の画素ピッチの１．０１倍の位置合わせピッチに関する様々なアレイのそれぞれの不良率を示している。
【０１６０】
第２のタイリング方式に関して、第２のタイリング方式を用いることによって第１のタイリング方式に対してディスプレイ領域の不良率を減じることができるという仮説が立てられた。しかしながら、図８〜図１１に示したように、第２のタイリング方式のそれぞれの不良率（例えば、線７０２ａ，７０２ｂ，７０２ｃ，７０２ｄおよび線７０５ａ，７０５ｂ，７０５ｃ，７０５ｄ）が第１のタイリング方式（例えば、線７０１ａ，７０１ｂ，７０１ｃ，７０１ｄおよび線７０４ａ，７０４ｂ，７０４ｃ，７０４ｄ）に対して増大したことが分かる。したがって、幾つかの実施形態において、第２のタイリング方式は、第１のタイリング方式より高い不良率を生じる可能性がある。
【０１６１】
図５に戻ると、第３のタイリング方式は、第１のタイル５０１の所定のパラメータＤ１〜Ｄ８の値に基づいて複数のタイル５０５のうちの第１のタイル５０１を選択し、第２のタイル５０２の所定のパラメータＤ１〜Ｄ８の値に基づいて複数のタイル５０５のうちの第２のタイル５０２を選択することを含むことができる。幾つかの実施形態において、方法は、ディスプレイ領域５１０の少なくとも一部を画定するアレイ５０６に第１のタイル５０１および第２のタイル５０２を位置決めするステップを含むことができる。幾つかの実施形態において、第１のタイル５０１の第１の縁部５０１ａは、第２のタイル５０２の第２の縁部５０２ａに面することができる。
【０１６２】
幾つかの実施形態において、第１のタイル５０１の所定のパラメータＤ１〜Ｄ８の値は、所定のパラメータＤ１〜Ｄ８の公称値より大きいことができ、第２のタイル５０２の所定のパラメータＤ１〜Ｄ８の値は、所定のパラメータＤ１〜Ｄ８の公称値より小さいことができる。幾つかの実施形態において、第１のタイル５０１の所定のパラメータＤ１〜Ｄ８の値は、所定のパラメータＤ１〜Ｄ８の公称値に対する複数のタイル５０５の所定のパラメータＤ１〜Ｄ８の最大値を規定することができ、第２のタイル５０２の所定のパラメータＤ１〜Ｄ８の値は、所定のパラメータＤ１〜Ｄ８の公称値に対する複数のタイル５０５の所定のパラメータＤ１〜Ｄ８の最小値を規定することができる。
【０１６３】
例えば、幾つかの実施形態において、所定のパラメータＤ１〜Ｄ８の公称値より大きい所定のパラメータＤ１〜Ｄ８の値を有する第１のタイル５０１と、所定のパラメータＤ１〜Ｄ８の公称値より小さい所定のパラメータＤ１〜Ｄ８の値を有する第２のタイル５０２とを選択することによって、公称タイルに対する第１のタイル５０１および第２のタイル５０２のそれぞれの偏差を互いにオフセットする（例えば、打ち消す）ことができる。したがって、幾つかの実施形態において、所定のパラメータＤ１〜Ｄ８の値に基づいてタイルを選択し、公称タイルに対するタイルの偏差を互いに打ち消すことができるような形式でタイルを組み立てることによって、対応するディスプレイの不良率の低減が得られるという仮説が立てられた。
【０１６４】
幾つかの実施形態において、方法は、複数のタイル５０５の所定のパラメータＤ１〜Ｄ８のそれぞれの値に基づいて複数のタイル５０５を選別するステップをさらに含むことができる。幾つかの実施形態において、選別するステップは、タイルの第１のセットおよびタイルの第２のセットを特定するステップを含むことができる。同様に、幾つかの実施形態において、選別するステップは、複数のタイル５０５の所定のパラメータＤ１〜Ｄ８のそれぞれの値に基づいてタイルの複数のセット（例えば、タイルの３つ以上のセット）を特定するステップを含むことができる。幾つかの実施形態において、タイルの第１のセットの各タイルの所定のパラメータＤ１〜Ｄ８のそれぞれの値は、所定のパラメータＤ１〜Ｄ８の公称値より大きいことができ、タイルの第２のセットの各タイルの所定のパラメータＤ１〜Ｄ８のそれぞれの値は、所定のパラメータＤ１〜Ｄ８の公称値より小さいことができる。幾つかの実施形態において、方法は、タイルの第１のセットを、タイルの第１のセットの各タイルの所定のパラメータＤ１〜Ｄ８のそれぞれの値に基づいて昇順または降順に順序付け、タイルの第２のセットを、タイルの第２のセットの各タイルの所定のパラメータＤ１〜Ｄ８のそれぞれの値に基づいて昇順または降順に順序付けるステップをさらに含むことができる。幾つかの実施形態において、第１のタイル５０１をタイルの第１のセットから選択することができ、かつ第２のタイル５０２をタイルの第２のセットから選択することができる。
【０１６５】
幾つかの実施形態において、第１のタイル５０１の所定のパラメータＤ１〜Ｄ８の値は、所定のパラメータＤ１〜Ｄ８の公称値に対するタイルの第１のセットの所定のパラメータＤ１〜Ｄ８の最大値を規定することができ、第２のタイル５０２の所定のパラメータＤ１〜Ｄ８の値は、所定のパラメータＤ１〜Ｄ８の公称値に対するタイルの第２のセットの所定のパラメータＤ１〜Ｄ８の最小値を規定することができる。
【０１６６】
幾つかの実施形態において、方法は、複数のタイル５０５のうちの少なくとも１つの付加的なタイル（例えば、第３のタイル５０３、第４のタイル５０４）を、少なくとも１つの付加的なタイル５０３，５０４の所定のパラメータＤ１〜Ｄ８の値に基づいて選択しかつ少なくとも１つの付加的なタイル５０３，５０４をアレイ５０６に位置決めするステップをさらに含むことができる。例えば、幾つかの実施形態において、第３のタイル５０３の第２の縁部５０３ｂが第１のタイル５０１の第２の縁部５０１ｂに面するように第３のタイル５０３をアレイ５０６に位置決めすることができる。同様に、矢印５２５によって示したように、幾つかの実施形態において、第４のタイル５０４の第１の縁部５０４ａが第３のタイル５０３の第１の縁部５０３ａに面しかつ第４のタイル５０４の第２の縁部５０４ｂが第２のタイル５０２の第２の縁部５０２ｂに面するように第４のタイル５０４をアレイ５０６に位置決めすることができる。幾つかの実施形態において、方法は、ディスプレイ領域５１０が所定の数のタイルを有するまで、複数のタイル５０５のうちの少なくとも１つの付加的なタイルを、少なくとも１つの付加的なタイルの所定のパラメータＤ１〜Ｄ８の値に基づいて選択しかつ少なくとも１つの付加的なタイルをアレイ５０６に位置決めすることによって、複数回繰り返すことができる。
【０１６７】
加えてまたは代替的に、幾つかの実施形態において、ディスプレイ領域５１０を組み立てる方法は、各タイルの所定のパラメータＤ１〜Ｄ８のそれぞれの値に基づいてタイルの複数の対を選択するステップを含むことができる。幾つかの実施形態において、タイルの各対は、第１のタイルおよび第２のタイルを含むことができる。例えば、タイルの第１の対５１５ａは、第１のタイル５０１および第２のタイル５０２を含むことができ、タイルの第２の対５１５ｂは、第３のタイル５０３および第４のタイル５０４を含むことができる。幾つかの実施形態において、各対５１５ａ，５１５ｂの第１のタイル（例えば、タイル５０１、タイル５０３）の所定のパラメータＤ１〜Ｄ８のそれぞれの値は、各対５１５ａ，５１５ｂの第２のタイル（例えば、タイル５０２、タイル５０４）の所定のパラメータＤ１〜Ｄ８のそれぞれの値より大きいことができる。方法は、ディスプレイ領域５１０の少なくとも一部を画定するアレイ５０６にタイルの複数の対５１５ａ，５１５ｂを位置決めするステップをさらに含むことができる。幾つかの実施形態において、各対５１５ａ，５１５ｂの第１のタイル（例えば、タイル５０１、タイル５０３）のそれぞれの第１の縁部５０１ａ，５０３ａは、各対５１５ａ，５１５ｂの第２のタイル（例えば、タイル５０２、タイル５０４）のそれぞれの第２の縁部５０２ａ，５０４ａに面することができる。
【０１６８】
幾つかの実施形態において、各対５１５ａ，５１５ｂの第１のタイル（例えば、タイル５０１、タイル５０３）の所定のパラメータＤ１〜Ｄ８のそれぞれの値は、所定のパラメータＤ１〜Ｄ８の公称値より大きいことができ、各対５１５ａ，５１５ｂの第２のタイル（例えば、タイル５０２、タイル５０４）の所定のパラメータＤ１〜Ｄ８のそれぞれの値は、所定のパラメータＤ１〜Ｄ８の公称値より小さいことができる。
【０１６９】
幾つかの実施形態において、方法は、タイルの第１のセットおよびタイルの第２のセットを特定するステップをさらに含むことができる。タイルの第１のセットの各タイルの所定のパラメータＤ１〜Ｄ８のそれぞれの値は、所定のパラメータＤ１〜Ｄ８の公称値より大きいことができ、タイルの第２のセットの各タイルの所定のパラメータＤ１〜Ｄ８のそれぞれの値は、所定のパラメータＤ１〜Ｄ８の公称値より小さいことができる。幾つかの実施形態において、タイルの各対５１５ａ，５１５ｂの第１のタイル（例えば、タイル５０１、タイル５０３）をタイルの第１のセットから選択することができ、かつタイルの各対５１５ａ，５１５ｂの第２のタイル（例えば、タイル５０２、タイル５０４）をタイルの第２のセットから選択することができる。
【０１７０】
幾つかの実施形態において、方法は、タイルの第１のセットを、タイルの第１のセットの各タイルの所定のパラメータＤ１〜Ｄ８のそれぞれの値に基づいて昇順または降順に順序付け、タイルの第２のセットを、タイルの第２のセットの各タイルの所定のパラメータＤ１〜Ｄ８のそれぞれの値に基づいて昇順または降順に順序付けるステップをさらに含むことができる。タイルの各対５１５ａ，５１５ｂの第１のタイル（例えば、タイル５０１、タイル５０３）を、順序付けられたタイルの第１のセットから順に選択することができかつタイルの各対５１５ａ，５１５ｂの第２のタイル（例えば、タイル５０２、タイル５０４）を、順序付けられたタイルの第２のセットから順に選択することができる。
【０１７１】
本開示の方法に従って、所定のパラメータＤ２の値に基づいて第３のタイリング方式に従ってタイルを選択することによってコンピュータシミュレーションが行われた。例えば、公称タイルに対するタイルの偏差を互いに打ち消すことができるように所定のパラメータＤ２のそれぞれの値に基づいてタイルが選択された。同様に、幾つかの実施形態において、公称タイルに対する１つ以上のタイルの２つ以上の所定のパラメータＤ１〜Ｄ８の偏差を互いに打ち消すことができるように、２つ以上の所定のパラメータＤ１〜Ｄ８のそれぞれの値に基づいて１つ以上のタイルを選択することができる。
【０１７２】
表５４は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めするグローバル位置決め法を用いて、５０マイクロメートル横方向オフセットタイルに関して、第３のタイリング方式を用いるコンピュータシミュレーションの不良率を示している。
【０１７３】
【表５４】
2021502598.tif 000059
【０１７４】
加えて、図８は、表５４の第３のタイリング方式のシミュレーションされた組立てに基づく典型的なプロットを示している。特に、線７０３ａは、第３のタイリング方式を用いるグローバル位置決め法によって組み立てられた５０マイクロメートルオフセットタイルの場合の画素ピッチの１．１倍の位置合わせピッチに関する様々なアレイのそれぞれの不良率を示しており、線７０３ｂは、第３のタイリング方式を用いるグローバル位置決め法によって組み立てられた５０マイクロメートルオフセットタイルの場合の画素ピッチの１．０１倍の位置合わせピッチに関する様々なアレイのそれぞれの不良率を示している。
【０１７５】
表５５は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めする相対位置決め法を用いて、５０マイクロメートル横方向オフセットタイルに関して、第３のタイリング方式を用いるコンピュータシミュレーションの不良率を示している。
【０１７６】
【表５５】
2021502598.tif 000060
【０１７７】
加えて、図９は、表５５の第３のタイリング方式のシミュレーションされた組立てに基づく典型的なプロットを示している。特に、線７０３ｃは、第３のタイリング方式を用いる相対位置決め法によって組み立てられた５０マイクロメートルオフセットタイルの場合の画素ピッチの１．１倍の位置合わせピッチに関する様々なアレイのそれぞれの不良率を示しており、線７０３ｄは、第３のタイリング方式を用いる相対位置決め法によって組み立てられた５０マイクロメートルオフセットタイルの場合の画素ピッチの１．０１倍の位置合わせピッチに関する様々なアレイのそれぞれの不良率を示している。
【０１７８】
表５６は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めするグローバル位置決め法を用いて、１００マイクロメートル横方向オフセットタイルに関して、第３のタイリング方式を用いるコンピュータシミュレーションの不良率を示している。
【０１７９】
【表５６】
2021502598.tif 000061
【０１８０】
加えて、図１０は、表５６の第３のタイリング方式のシミュレーションされた組立てに基づく典型的なプロットを示している。特に、線７０６ａは、第３のタイリング方式を用いるグローバル位置決め法によって組み立てられた１００マイクロメートルオフセットタイルの場合の画素ピッチの１．１倍の位置合わせピッチに関する様々なアレイのそれぞれの不良率を示しており、線７０６ｂは、第３のタイリング方式を用いるグローバル位置決め法によって組み立てられた１００マイクロメートルオフセットタイルの場合の画素ピッチの１．０１倍の位置合わせピッチに関する様々なアレイのそれぞれの不良率を示している。
【０１８１】
表５７は、画素ピッチの１．５倍、画素ピッチの１．１倍および画素ピッチの１．０１倍の位置合わせピッチを有する５×５アレイ、６×６アレイ、７×７アレイ、８×８アレイ、９×９アレイおよび１０×１０アレイにタイルを位置決めする相対位置決め法を用いて、１００マイクロメートル横方向オフセットタイルに関して、第３のタイリング方式を用いるコンピュータシミュレーションの不良率を示している。
【０１８２】
【表５７】
2021502598.tif 000062
【０１８３】
加えて、図１１は、表５７の第３のタイリング方式のシミュレーションされた組立てに基づく典型的なプロットを示している。特に、線７０６ｃは、第３のタイリング方式を用いる相対位置決め法によって組み立てられた１００マイクロメートルオフセットタイルの場合の画素ピッチの１．１倍の位置合わせピッチに関する様々なアレイのそれぞれの不良率を示しており、線７０６ｄは、第３のタイリング方式を用いる相対位置決め法によって組み立てられた１００マイクロメートルオフセットタイルの場合の画素ピッチの１．０１倍の位置合わせピッチに関する様々なアレイのそれぞれの不良率を示している。
【０１８４】
第３のタイリング方式に関して、上述のように、第３のタイリング方式を用いることによって第１のタイリング方式に対してディスプレイ領域の不良率を減じることができるという仮説が立てられた。加えて、ディスプレイ領域全体にわたって複数のタイルを位置決めしかつディスプレイ領域の１つ以上の所定の領域（例えば、周縁部、角、中央領域）に複数のタイルを位置決めするために、第３のタイリング方式を用いることができる。図８〜図１１に示したように、第３のタイリング方式のそれぞれの不良率（例えば、線７０３ａ，７０３ｂ，７０３ｃ，７０３ｄおよび線７０６ａ，７０６ｂ，７０６ｃ，７０６ｄ）が第１のタイリング方式（例えば、線７０１ａ，７０１ｂ，７０１ｃ，７０１ｄおよび線７０４ａ，７０４ｂ，７０４ｃ，７０４ｄ）に対して減少したことが分かる。したがって、幾つかの実施形態において、第３のタイリング方式は、第１のタイリング方式より低い不良率を生じさせることができる。したがって、幾つかの実施形態において、本開示の実施形態に従って複数の画素を画定する複数のマイクロＬＥＤを有する複数のタイルを含むディスプレイ領域を組み立てることによって、ディスプレイ装置のディスプレイ領域の不良率を減じることに関して複数の利点を提供することができる。
【０１８５】
さらに、幾つかの実施形態において、第１、第２または第３のタイリング方式のうちの１つ以上の典型的な変化態様は、例えば、複数のタイルから、所定のパラメータＤ１〜Ｄ８の値の数値分布の所定の標準偏差（例えば、６−シグマ、３−シグマ）以内にない１つ以上のタイルを排除することによって、複数のタイルを修正する（例えば、切り捨てる）ことを含むことができる。したがって、幾つかの実施形態において、１つ以上のタイルを排除した後、本開示の範囲から逸脱することなく第１、第２または第３のタイリング方式のうちの１つ以上に従って、修正された複数のタイルからタイルを選択することができる。同様に、幾つかの実施形態において、所定のパラメータＤ１〜Ｄ８の値に基づいてタイルを選択することは、１つの所定のパラメータまたは１つ以上の所定のパラメータＤ１〜Ｄ８の組合せに基づくことができる。
【０１８６】
例示的および具体的なある実施形態に関して様々な実施形態が詳細に説明されているが、以下の特許請求の範囲から逸脱することなく、開示された特徴の多くの修正および組合せが可能であることから、本開示は、このような実施形態に限定されると考えられるべきでないことが理解されるべきである。
【０１８７】
以下、本発明の好ましい実施形態を項分け記載する。
【０１８８】
実施形態１  
ディスプレイ領域を組み立てる方法であって、
複数のタイルから第１のタイルを選択するステップであって、前記複数のタイルの各タイルは、所定のパラメータと、複数の画素を画定する複数のマイクロＬＥＤとを有し、前記第１のタイルを選択するステップは、該第１のタイルの前記所定のパラメータの値に基づいている、ステップと、
前記複数のタイルから第２のタイルを、該第２のタイルの前記所定のパラメータの値に基づいて選択するステップと、
前記第１のタイルおよび前記第２のタイルを、前記ディスプレイ領域の少なくとも一部を画定するアレイに位置決めするステップであって、前記第１のタイルの第１の縁部は前記第２のタイルの第２の縁部に面している、ステップと
を含む、ディスプレイ領域を組み立てる方法。
【０１８９】
実施形態２  
前記第１のタイルの前記所定のパラメータの値は、該所定のパラメータの公称値より大きく、前記第２のタイルの前記所定のパラメータの値は、該所定のパラメータの公称値より小さい、実施形態１記載の方法。
【０１９０】
実施形態３  
前記第１のタイルの前記所定のパラメータの値は、該所定のパラメータの公称値に対する前記複数のタイルの前記所定のパラメータの最大値を規定し、前記第２のタイルの前記所定のパラメータの値は、該所定のパラメータの公称値に対する前記複数のタイルの前記所定のパラメータの最小値を規定する、実施形態１記載の方法。
【０１９１】
実施形態４  
前記複数のタイルを、該複数のタイルの前記所定のパラメータのそれぞれの値に基づいて選別するステップをさらに含む、実施形態１記載の方法。
【０１９２】
実施形態５  
前記選別するステップは、タイルの第１のセットおよびタイルの第２のセットを特定するステップを含み、前記タイルの第１のセットの各タイルの前記所定のパラメータの前記それぞれの値は、前記所定のパラメータの公称値より大きく、前記タイルの第２のセットの各タイルの前記所定のパラメータの前記それぞれの値は、前記所定のパラメータの公称値より小さい、実施形態４記載の方法。
【０１９３】
実施形態６  
前記タイルの第１のセットを、該タイルの第１のセットの各タイルの前記所定のパラメータの前記それぞれの値に基づいて昇順または降順に順序付け、前記タイルの第２のセットを、該タイルの第２のセットの各タイルの前記所定のパラメータの前記それぞれの値に基づいて昇順または降順に順序付けるステップをさらに含む、実施形態５記載の方法。
【０１９４】
実施形態７  
前記第１のタイルを前記タイルの第１のセットから選択しかつ前記第２のタイルを前記タイルの第２のセットから選択する、実施形態５または６記載の方法。
【０１９５】
実施形態８  
前記第１のタイルの前記所定のパラメータの値は、該所定のパラメータの公称値に対する前記タイルの第１のセットの前記所定のパラメータの最大値を規定し、前記第２のタイルの前記所定のパラメータの値は、該所定のパラメータの公称値に対する前記タイルの第２のセットの前記所定のパラメータの最小値を規定する、実施形態７記載の方法。
【０１９６】
実施形態９  
前記複数のタイルから少なくとも１つの付加的なタイルを、該少なくとも１つの付加的なタイルの前記所定のパラメータの値に基づいて選択しかつ前記少なくとも１つの付加的なタイルを前記アレイに位置決めするステップをさらに含む、実施形態１から８までのいずれか１つ記載の方法。
【０１９７】
実施形態１０  
前記複数のタイルの各タイルの前記所定のパラメータは、前記複数のタイルの各タイルのそれぞれの横方向寸法、前記複数のタイルの各タイルのそれぞれの縁部真直度および前記複数のタイルの各タイルのそれぞれの直角度のうちの少なくとも１つを含む、実施形態１から９までのいずれか１つ記載の方法。
【０１９８】
実施形態１１  
実施形態１から１０までのいずれか１つ記載の方法によって組み立てられたディスプレイ領域を有するディスプレイ装置であって、複数の画素のうちのすぐ隣接し合う画素の間の横方向距離が、画素ピッチを規定し、第１のタイルの第１の縁部から離隔させられた、前記第１のタイルの少なくとも１つの第１の外側画素と、第２のタイルの第２の縁部から離隔させられた、前記第２のタイルの少なくとも１つの第２の外側画素との間の横方向距離が、位置合わせピッチを規定し、該位置合わせピッチは、前記画素ピッチの約１．５倍以下である、ディスプレイ装置。
【０１９９】
実施形態１２  
前記位置合わせピッチは、前記画素ピッチの約１．１倍以下である、実施形態１１記載のディスプレイ装置。
【０２００】
実施形態１３  
前記位置合わせピッチは、前記画素ピッチの約１．０１倍以下である、実施形態１１記載のディスプレイ装置。
【０２０１】
実施形態１４  
前記画素ピッチは、約１００マイクロメートル〜約５００マイクロメートルである、実施形態１１から１３までのいずれか１つ記載のディスプレイ装置。
【０２０２】
実施形態１５  
ディスプレイ領域を組み立てる方法であって、
複数のタイルからタイルの複数の対を選択するステップであって、前記複数のタイルの各タイルは、所定のパラメータと、複数の画素を画定する複数のマイクロＬＥＤとを有し、前記タイルの複数の対を選択するステップは、前記複数のタイルの各タイルの前記所定のパラメータのそれぞれの値に基づいており、前記タイルの各対は、第１のタイルおよび第２のタイルを含み、前記タイルの各対のうちの前記第１のタイルの前記所定のパラメータの前記それぞれの値は、前記タイルの各対のうちの前記第２のタイルの前記所定のパラメータの前記それぞれの値より大きい、ステップと、
前記タイルの複数の対を、前記ディスプレイ領域の少なくとも一部を画定するアレイに位置決めするステップであって、前記タイルの各対のうちの前記第１のタイルのそれぞれの第１の縁部は、前記タイルの各対のうちの前記第２のタイルのそれぞれの第２の縁部に面している、ステップと
を含む、ディスプレイ領域を組み立てる方法。
【０２０３】
実施形態１６  
前記タイルの各対のうちの前記第１のタイルの前記所定のパラメータの前記それぞれの値は、前記所定のパラメータの公称値より大きく、前記タイルの各対のうちの前記第２のタイルの前記所定のパラメータの前記それぞれの値は、前記所定のパラメータの公称値より小さい、実施形態１５記載の方法。
【０２０４】
実施形態１７  
前記複数のタイルからタイルの第１のセットを特定しかつ前記複数のタイルからタイルの第２のセットを特定するステップをさらに含み、前記タイルの第１のセットのうちの各タイルの前記所定のパラメータの前記それぞれの値は、前記所定のパラメータの公称値より大きく、前記タイルの第２のセットのうちの各タイルの前記所定のパラメータの前記それぞれの値は、前記所定のパラメータの公称値より小さく、前記タイルの各対のうちの前記第１のタイルを前記タイルの第１のセットから選択し、前記タイルの各対のうちの前記第２のタイルを前記タイルの第２のセットから選択する、実施形態１５記載の方法。
【０２０５】
実施形態１８  
前記タイルの第１のセットを、該タイルの第１のセットの各タイルの前記所定のパラメータの前記それぞれの値に基づいて昇順または降順に順序付け、前記タイルの第２のセットを、該タイルの第２のセットの各タイルの前記所定のパラメータの前記それぞれの値に基づいて昇順または降順に順序付けるステップをさらに含み、前記タイルの各対のうちの前記第１のタイルを、順序付けられたタイルの前記第１のセットから順に選択し、前記タイルの各対のうちの前記第２のタイルを、順序付けられたタイルの前記第２のセットから順に選択する、実施形態１７記載の方法。
【０２０６】
実施形態１９  
前記複数のタイルの各タイルの前記所定のパラメータは、前記複数のタイルの各タイルのそれぞれの横方向寸法、前記複数のタイルの各タイルのそれぞれの縁部真直度および前記複数のタイルの各タイルのそれぞれの直角度のうちの少なくとも１つを含む、実施形態１５から１８までのいずれか１つ記載の方法。
【０２０７】
実施形態２０  
前記複数の画素のうちのすぐ隣接し合う画素の間の横方向距離が、約１００マイクロメートル〜約５００マイクロメートルの画素ピッチを規定する、実施形態１５から１９までのいずれか１つ記載の方法によって組み立てられたディスプレイ領域を有するディスプレイ装置。
【図１】
2021502598.tif 000063
【図２】
2021502598.tif 000064
【図３】
2021502598.tif 000065
【図４】
2021502598.tif 000066
【図５】
2021502598.tif 000067
【図６】
2021502598.tif 000068
【図７】
2021502598.tif 000069
【図８】
2021502598.tif 000070
【図９】
2021502598.tif 000071
【図１０】
2021502598.tif 000072
【図１１】
2021502598.tif 000073
【国際調査報告】
2021502598.tif 000074
2021502598.tif 000075
2021502598.tif 000076